(57)【要約】【課題】自身が所持する刊行物を減少させつつ、必要な記事の内容を迅速且つ簡易に閲覧することが可能となるネットワークシステム等を提供する。【解決手段】ネットワークＮＴを介して端末装置Ｔから送信されて来た刊行物の内容を示すブックマークデータを、そのブックマークデータを送信してきたユーザを識別するユーザＩＤ及びその刊行物一冊毎に異なるシリアル番号に関連付けてブックマークデータベースＢＭＤＢ内に蓄積する。  当該ユーザが操作する端末装置Ｔから蓄積したブックマークデータを送信する旨の要求が来たときは、そのユーザを示すユーザＩＤに関連付けて、蓄積されているブックマークデータをそのユーザに返信し、更に当該ブックマークデータにより示される著作物データをそのユーザに配信する。【効果】当該ユーザがその刊行物を所持し続けなくとも、見たい内容のみを迅速に閲覧できる。【選択図】図１
2008158663.tif 000002
【特許請求の範囲】
【請求項１】
サーバ装置と、端末装置と、当該サーバ装置と当該端末装置とを接続するネットワークと、により構成されるネットワークシステムにおいて、
前記端末装置は、
当該端末装置を操作するユーザが所持している刊行物の内容を構成する内容情報を、前記ネットワークを介して取得する内容情報取得手段と、
前記取得した内容情報の中から、蓄積が所望される蓄積内容情報を選択するために用いられる選択手段と、
前記選択された蓄積内容情報を示す指示情報を、前記ネットワークを介して前記サーバ装置に送信する指示情報送信手段と、
前記送信した指示情報により示される前記蓄積内容情報を改めて取得するとき、当該蓄積内容情報を示す前記指示情報の取得を要求する取得要求情報を前記サーバ装置に前記ネットワークを介して送信する取得要求情報送信手段と、
前記送信された取得要求情報に対応して前記サーバ装置から返信されて来た前記指示情報に基づき、当該指示情報により示される前記蓄積内容情報を、前記ネットワークを介して取得する蓄積内容情報取得手段と、
を備え、前記サーバ装置は、
前記ネットワークを介して前記端末装置から送信されて来た前記指示情報を受信する指示情報受信手段と、
前記受信した指示情報を、前記ユーザを識別するためのユーザ識別情報に関連付けて蓄積する指示情報蓄積手段と、
前記ネットワークを介して前記端末装置から送信されて来た前記取得要求情報を受信する取得要求情報受信手段と、
前記受信した取得要求情報により取得が要求されている前記指示情報を前記指示情報蓄積手段から抽出する抽出手段と、
前記抽出された指示情報を、前記取得要求情報を送信した前記端末装置に前記ネットワークを介して返信する指示情報返信手段と、
を備えることを特徴とするネットワークシステム。
【請求項２】
ネットワークを介して端末装置と接続されたサーバ装置において、
前記端末装置を操作するユーザが所持している刊行物の内容を構成する内容情報の中から当該ユーザが蓄積を所望するものとして当該端末装置において選択した蓄積内容情報を示す指示情報が、前記ネットワークを介して当該端末装置から送信されて来たとき、当該指示情報を受信する指示情報受信手段と、
前記受信された指示情報を、前記ユーザを識別するためのユーザ識別情報に対応付けて蓄積する指示情報蓄積手段と、
前記蓄積された指示情報の取得を要求する取得要求情報が、前記ネットワークを介して前記端末装置から送信されて来たとき、当該取得要求情報を受信する取得要求情報受信手段と、
前記受信した取得要求情報により取得が要求されている前記指示情報を前記指示情報蓄積手段から抽出する抽出手段と、
前記抽出された指示情報を、前記取得要求情報を送信した前記端末装置に前記ネットワークを介して返信する指示情報返信手段と、
を備えることを特徴とするサーバ装置。
【請求項３】
請求項２に記載のサーバ装置において、
前記ユーザ識別情報と、当該ユーザ識別情報により識別される前記ユーザが所持している前記刊行物を特定する刊行物特定情報と、を関連付けるユーザ購入情報を蓄積する購入情報蓄積手段を更に備え、
前記送信されてくる取得要求情報には、当該取得要求情報により取得が要求されている前記指示情報により示される前記蓄積内容情報に相当する内容が含まれている前記刊行物であって当該ユーザが所持している前記刊行物に対応する前記刊行物特定情報が少なくとも含まれており、
前記抽出手段及び前記指示情報返信手段は、前記取得要求情報を送信して来た前記ユーザに対応する前記ユーザ識別情報と、当該取得要求情報に含まれて送信されて来た前記刊行物特定情報と、の関連付けが、前記購入情報蓄積手段に蓄積されている前記ユーザ購入情報のいずれかの内容と一致したときのみ、当該取得要求情報により取得が要求されている前記指示情報を前記指示情報蓄積手段から抽出し、前記ネットワークを介して返信することを特徴とするサーバ装置。
【請求項４】
請求項２に記載のサーバ装置において、
前記ユーザ識別情報と、当該ユーザ識別情報により識別される前記ユーザが所持している前記刊行物の内容を構成する前記内容情報を特定する内容特定情報と、を関連付けるユーザ購入情報を蓄積する購入情報蓄積手段を更に備え、
前記送信されてくる取得要求情報には、当該取得要求情報により取得が要求されている前記指示情報により示される前記蓄積内容情報を特定する前記内容特定情報が少なくとも含まれており、
前記抽出手段及び前記指示情報返信手段は、前記取得要求情報を送信して来た前記ユーザに対応する前記ユーザ識別情報と、当該取得要求情報に含まれて送信されて来た前記内容特定情報と、の関連付けが、前記購入情報蓄積手段に蓄積されている前記ユーザ購入情報のいずれかの内容と一致したときのみ、当該取得要求情報により取得が要求されている前記指示情報を前記指示情報蓄積手段から抽出し、前記ネットワークを介して返信することを特徴とするサーバ装置。
【請求項５】
請求項２から４のいずれか一項に記載のサーバ装置において、
前記ユーザが所持している前記刊行物と同一の内容を有する他の刊行物を所持している第三者である特定の第三者を示す第三者特定情報を蓄積する特定情報蓄積手段と、
前記第三者特定情報に基づき、前記取得要求情報の送信者が前記特定の第三者であるか否かを確認する確認手段と、
を更に備え、
前記抽出手段及び前記指示情報返信手段は、前記送信者が前記特定の第三者であると確認されたとき、前記取得要求情報により取得が要求されている前記指示情報を前記指示情報蓄積手段から抽出し、前記ネットワークを介して前記送信者が操作する前記端末装置に返信することを特徴とするサーバ装置。
【請求項６】
請求項２から４のいずれか一項に記載のサーバ装置において、
前記ユーザとの間に予め設定された関係がある第三者である特定の第三者を示す第三者特定情報を蓄積する特定情報蓄積手段と、
前記第三者特定情報に基づき、前記取得要求情報の送信者が前記特定の第三者であるか否かを確認する確認手段と、
を更に備え、
前記抽出手段及び前記指示情報返信手段は、前記送信者が前記特定の第三者であると確認されたとき、前記取得要求情報により取得が要求されている前記指示情報を前記指示情報蓄積手段から抽出し、前記ネットワークを介して前記送信者が操作する前記端末装置に返信することを特徴とするサーバ装置。
【請求項７】
請求項２から４のいずれか一項に記載のサーバ装置において、
前記蓄積内容情報に相当する内容を含む前記刊行物全体の内容を代表する代表情報を、前記ネットワークを介して取得するための取得情報を、前記ユーザ識別情報に関連付けて蓄積する取得情報蓄積手段と、
前記ユーザ以外の不特定の第三者から、前記ユーザが蓄積した前記指示情報の取得を要求する旨の第三者要求情報が前記ネットワークを介して送信されて来たとき、当該取得が要求された指示情報が関連付けられている前記ユーザ識別情報に更に関連付けられている前記取得情報を、前記第三者要求情報を送信して来た前記端末装置に前記ネットワークを介して返信する取得情報返信手段と、
を更に備えることを特徴とするサーバ装置。
【請求項８】
請求項６に記載のサーバ装置において、
前記返信された指示情報により示される前記蓄積内容情報に相当する内容を含む前記刊行物を購入するために必要な購入画面を、前記指示情報を返信した前記端末装置に表示させるための購入画面情報を蓄積する購入画面情報蓄積手段と、
前記指示情報を返信した前記端末装置を操作する前記特定の第三者から、当該指示情報により示される前記蓄積内容情報に相当する内容を含む前記刊行物を購入する旨の購入要求情報が送信されて来たとき、当該刊行物に対応する前記購入画面情報を、当該購入要求情報を送信して来た前記端末装置に前記ネットワークを介して返信する画面情報返信手段と、
を更に備えることを特徴とするサーバ装置。
【請求項９】
請求項７に記載のサーバ装置において、
前記取得情報を用いて取得される前記代表情報により代表される前記刊行物を購入するために必要な購入画面を当該端末装置に表示させるための購入画面情報を蓄積する購入画面情報蓄積手段と、
前記取得情報を返信した前記端末装置を操作する前記不特定の第三者から、当該取得情報を用いて取得される前記代表情報により代表される前記刊行物を購入する旨の購入要求情報が送信されて来たとき、当該刊行物に対応する前記購入画面情報を、当該購入要求情報を送信して来た前記端末装置に前記ネットワークを介して返信する画面情報返信手段と、
を更に備えることを特徴とするサーバ装置。
【請求項１０】
請求項９に記載のサーバ装置において、
前記購入画面情報を用いて表示された前記購入画面を用いて前記刊行物が購入されたとき、当該購入されたことに伴って発生する予め設定された購入報酬が、前記第三者要求情報により取得が要求された前記指示情報を蓄積した前記ユーザに付与されることを示す報酬付与情報を生成する報酬付与情報生成手段と、
前記生成された報酬付与情報を、当該指示情報を蓄積した当該ユーザに対応付けて蓄積する報酬付与情報蓄積手段と、
を更に備えることを特徴とするサーバ装置。
【請求項１１】
請求項２から１０のいずれか一項に記載のサーバ装置において、
前記指示情報蓄積手段は、前記指示情報により示される前記蓄積内容情報が属するジャンル毎に区分して当該指示情報を蓄積すると共に、当該各ジャンル毎に前記指示情報の蓄積数を示す蓄積数情報を更に蓄積し、
前記抽出手段は、前記指示情報を前記指示情報蓄積手段から抽出する際、当該抽出する指示情報に対応する前記蓄積数情報をも併せて抽出し、
更に前記指示情報返信手段は、当該抽出された指示情報及び蓄積数情報を、前記取得要求情報を送信した前記端末装置に前記ネットワークを介して返信することを特徴とするサーバ装置。
【請求項１２】
請求項２から１１のいずれか一項に記載のサーバ装置において、
前記蓄積されている指示情報自体を購入するために必要な指示情報購入画面を前記端末装置に表示させるための購入画面表示情報を蓄積する画面蓄積手段と、
前記指示情報の購入する旨の指示情報購入要求情報が前記ネットワークを介して送信されて来たとき、当該指示情報購入要求情報により示される前記指示情報に対応する前記購入画面表示情報を、当該指示情報購入要求情報を送信して来た前記端末装置に対して前記ネットワークを介して返信する画面表示情報返信手段と、
を更に備えることを特徴とするサーバ装置。
【請求項１３】
ネットワークを介して端末装置と接続されたサーバ装置において実行される情報処理方法において、
前記端末装置を操作するユーザが所持している刊行物の内容を構成する内容情報の中から当該ユーザが蓄積を所望するものとして当該端末装置において選択した蓄積内容情報を示す指示情報が、前記ネットワークを介して当該端末装置から送信されて来たとき、当該指示情報を受信する指示情報受信工程と、
前記受信された指示情報を、前記ユーザを識別するためのユーザ識別情報に対応付けて指示情報蓄積手段に蓄積する指示情報蓄積工程と、
前記蓄積された指示情報の取得を要求する取得要求情報が、前記ネットワークを介して前記端末装置から送信されて来たとき、当該取得要求情報を受信する取得要求情報受信工程と、
前記受信した取得要求情報により取得が要求されている前記指示情報を前記指示情報蓄積手段から抽出する抽出工程と、
前記抽出された指示情報を、前記取得要求情報を送信した前記端末装置に前記ネットワークを介して返信する指示情報返信工程と、
を含むことを特徴とする情報処理方法。
【請求項１４】
ネットワークを介して端末装置と接続されているコンピュータを、請求項２から１２のいずれか一項に記載のサーバ装置として機能させることを特徴とするサーバ装置用プログラム。
【発明の詳細な説明】
【技術分野】
【０００１】
本発明は、ネットワークシステム、サーバ装置、情報処理方法及びサーバ装置用プログラムの技術分野に属し、より詳細には、例えばインターネット等のネットワークを介して相互に接続されるサーバ装置と端末装置とを含むネットワークシステム、当該サーバ装置並びに当該サーバ装置において実行される情報処理方法及び当該サーバ装置用プログラムの技術分野に属する。
【背景技術】
【０００２】
近年、雑誌等の書籍を初めとして、新聞、論文集、写真集等の刊行物の刊行数には目を見張るものがあり、インターネットの発展も相まって、我々が入手可能な情報の量及び種類も飛躍的に増大している。
【０００３】
そして、当該情報量の増大に伴い、購入した書籍等の整理も煩雑化の一途を辿っており、これにより、例えば過去に一度見た記事を再度見たいと思っても、数多くの書籍の中から所望する書籍を発見した上でその記事を更に探す必要があり、結果として迅速にその記事を探し出すことが極めて手間のかかる作業となる傾向にある。
【０００４】
一方、このような現状に鑑み、例えば下記特許文献１に記載されているような技術を用いたサービスも提供されつつある。
【特許文献１】特開２００３−３６２１５公報
【発明の開示】
【発明が解決しようとする課題】
【０００５】
しかしながら、上記特許文献１に開示された技術によると、例えば一度取得した記事に相当する電子データが消失してしまった場合等においては、自身の手元にその刊行物を保管しておかない限り同一の記事を複数回に渡って取得することが困難であり、結果として刊行物を減少させる効果に乏しいという問題点がある。
【０００６】
また、当該特許文献１に開示された技術では、購入する刊行物が増大すると、基本的に自身が取得した記事に相当する電子データも増える一方であるので、将来的にはこれらの電子データ自体の整理が煩雑になる場合もあり得るという問題点もあった。
【０００７】
そこで、本発明は上記の各問題点に鑑みて為されたもので、その課題は、自身が所持する刊行物を減少させつつ、必要な記事の内容を迅速且つ簡易に閲覧することが可能となるネットワークシステム、及び当該ネットワークシステムに含まれるサーバ装置並びに当該サーバ装置において実行される情報処理方法及び当該サーバ装置用プログラムを提供することにある。
【課題を解決するための手段】
【０００８】
上記の課題を解決するために、請求項１に記載の発明は、サーバ装置と、端末装置と、当該サーバ装置と当該端末装置とを接続するネットワークと、により構成されるネットワークシステムにおいて、前記端末装置は、当該端末装置を操作するユーザが所持している刊行物の内容を構成する著作物データ等の内容情報を、前記ネットワークを介して取得するシステム制御部等の内容情報取得手段と、前記取得した内容情報の中から、蓄積が所望される蓄積内容情報を選択するために用いられる操作部等の選択手段と、前記選択された蓄積内容情報を示すブックマークデータ等の指示情報を、前記ネットワークを介して前記サーバ装置に送信するシステム制御部等の指示情報送信手段と、前記送信した指示情報により示される前記蓄積内容情報を改めて取得するとき、当該蓄積内容情報を示す前記指示情報の取得を要求する取得要求情報を前記サーバ装置に前記ネットワークを介して送信するシステム制御部等の取得要求情報送信手段と、前記送信された取得要求情報に対応して前記サーバ装置から返信されて来た前記指示情報に基づき、当該指示情報により示される前記蓄積内容情報を、前記ネットワークを介して取得するシステム制御部等の蓄積内容情報取得手段と、を備え、前記サーバ装置は、前記ネットワークを介して前記端末装置から送信されて来た前記指示情報を受信するシステム制御部等の指示情報受信手段と、前記受信した指示情報を、前記ユーザを識別するためのユーザＩＤ等のユーザ識別情報に関連付けて蓄積するブックマークデータベース等の指示情報蓄積手段と、前記ネットワークを介して前記端末装置から送信されて来た前記取得要求情報を受信するシステム制御部等の取得要求情報受信手段と、前記受信した取得要求情報により取得が要求されている前記指示情報を前記指示情報蓄積手段から抽出するシステム制御部等の抽出手段と、前記抽出された指示情報を、前記取得要求情報を送信した前記端末装置に前記ネットワークを介して返信するシステム制御部等の指示情報返信手段と、を備える。
【０００９】
よって、端末装置を操作するユーザが所持している刊行物について当該ユーザが選択した蓄積内容情報を示す指示情報がサーバ装置内に蓄積され、そのユーザが当該蓄積されている指示情報を取得可能となるので、当該ユーザが多数の刊行物を所持している場合でも、それらの刊行物の中で興味のある蓄積内容情報を、いつでも当該指示情報を手掛かりに迅速且つ簡易に取得／閲覧することができる。
【００１０】
上記の課題を解決するために、請求項２に記載の発明は、ネットワークを介して端末装置と接続された刊行物管理サーバ等のサーバ装置において、前記端末装置を操作するユーザが所持している刊行物の内容を構成する内容情報の中から当該ユーザが蓄積を所望するものとして当該端末装置において選択した蓄積内容情報を示す指示情報が、前記ネットワークを介して当該端末装置から送信されて来たとき、当該指示情報を受信するシステム制御部等の指示情報受信手段と、前記受信された指示情報を、前記ユーザを識別するためのユーザＩＤ等のユーザ識別情報に対応付けて蓄積するブックマークデータベース等の指示情報蓄積手段と、前記蓄積された指示情報の取得を要求する取得要求情報が、前記ネットワークを介して前記端末装置から送信されて来たとき、当該取得要求情報を受信するシステム制御部等の取得要求情報受信手段と、前記受信した取得要求情報により取得が要求されている前記指示情報を前記指示情報蓄積手段から抽出するシステム制御部等の抽出手段と、前記抽出された指示情報を、前記取得要求情報を送信した前記端末装置に前記ネットワークを介して返信するシステム制御部等の指示情報返信手段と、を備える。
【００１１】
よって、端末装置を操作するユーザが所持している刊行物について当該ユーザが選択した蓄積内容情報を示す指示情報を蓄積し、後ほどそのユーザが当該蓄積されている指示情報を取得することを可能とするので、当該ユーザが多数の刊行物を所持している場合でも、それらの刊行物の中で興味のある蓄積内容情報を、いつでも当該指示情報を手掛かりに迅速且つ簡易に取得／閲覧することができる。
【００１２】
上記の課題を解決するために、請求項３に記載の発明は、請求項２に記載のサーバ装置において、前記ユーザ識別情報と、当該ユーザ識別情報により識別される前記ユーザが所持している前記刊行物を特定するシリアル番号データ等の刊行物特定情報と、を関連付けるユーザ購入情報を蓄積する刊行物管理データベース等の購入情報蓄積手段を更に備え、前記送信されてくる取得要求情報には、当該取得要求情報により取得が要求されている前記指示情報により示される前記蓄積内容情報に相当する内容が含まれている前記刊行物であって当該ユーザが所持している前記刊行物に対応する前記刊行物特定情報が少なくとも含まれており、前記抽出手段及び前記指示情報返信手段は、前記取得要求情報を送信して来た前記ユーザに対応する前記ユーザ識別情報と、当該取得要求情報に含まれて送信されて来た前記刊行物特定情報と、の関連付けが、前記購入情報蓄積手段に蓄積されている前記ユーザ購入情報のいずれかの内容と一致したときのみ、当該取得要求情報により取得が要求されている前記指示情報を前記指示情報蓄積手段から抽出し、前記ネットワークを介して返信することを特徴とするサーバ装置。
【００１３】
よって、ユーザ識別情報と刊行物特定情報との関連付けるユーザ購入情報を蓄積し、送信されてきた取得要求情報に含まれているユーザ識別情報と刊行物特定情報との関連付けが、蓄積されているユーザ購入情報のいずれかにおける関連付けの内容と一致したときのみ指示情報を返信するので、実際に刊行物を所持しているユーザ以外の第三者に蓄積内容情報が取得されてしまうことを防止できる。
【００１４】
上記の課題を解決するために、請求項４に記載の発明は、請求項２に記載のサーバ装置において、前記ユーザ識別情報と、当該ユーザ識別情報により識別される前記ユーザが所持している前記刊行物の内容を構成する前記内容情報を特定するシリアル番号等の内容特定情報と、を関連付けるユーザ購入情報を蓄積する刊行物管理データベース等の購入情報蓄積手段を更に備え、前記送信されてくる取得要求情報には、当該取得要求情報により取得が要求されている前記指示情報により示される前記蓄積内容情報を特定する前記内容特定情報が少なくとも含まれており、前記抽出手段及び前記指示情報返信手段は、前記取得要求情報を送信して来た前記ユーザに対応する前記ユーザ識別情報と、当該取得要求情報に含まれて送信されて来た前記内容特定情報と、の関連付けが、前記購入情報蓄積手段に蓄積されている前記ユーザ購入情報のいずれかの内容と一致したときのみ、当該取得要求情報により取得が要求されている前記指示情報を前記指示情報蓄積手段から抽出し、前記ネットワークを介して返信するように構成される。
【００１５】
よって、ユーザ識別情報と内容特定情報との関連付けるユーザ購入情報を蓄積し、送信されてきた取得要求情報に含まれているユーザ識別情報と内容特定情報との関連付けが、蓄積されているユーザ購入情報のいずれかにおける関連付けの内容と一致したときのみ指示情報を返信するので、実際に刊行物を所持しているユーザ以外の第三者に蓄積内容情報が取得されてしまうことを防止できる。
【００１６】
上記の課題を解決するために、請求項５に記載の発明は、請求項２から４のいずれか一項に記載のサーバ装置において、前記ユーザが所持している前記刊行物と同一の内容を有する他の刊行物を所持している第三者である特定の第三者を示す第三者特定情報を蓄積する会員情報データベース等の特定情報蓄積手段と、前記第三者特定情報に基づき、前記取得要求情報の送信者が前記特定の第三者であるか否かを確認するシステム制御部等の確認手段と、を更に備え、前記抽出手段及び前記指示情報返信手段は、前記送信者が前記特定の第三者であると確認されたとき、前記取得要求情報により取得が要求されている前記指示情報を前記指示情報蓄積手段から抽出し、前記ネットワークを介して前記送信者が操作する前記端末装置に返信するように構成される。
【００１７】
よって、第三者特定情報により示される当該刊行物の購入者から指示情報の取得要求があったときに当該指示情報をその要求者に返信するので、同じ刊行物を所持している者同士で指示情報並びにそれにより示される蓄積内容情報を共有することができる。
【００１８】
上記の課題を解決するために、請求項６に記載の発明は、請求項２から４のいずれか一項に記載のサーバ装置において、前記ユーザとの間に予め設定された関係がある第三者である特定の第三者を示す第三者特定情報を蓄積する会員情報データベース等の特定情報蓄積手段と、前記第三者特定情報に基づき、前記取得要求情報の送信者が前記特定の第三者であるか否かを確認するシステム制御部等の確認手段と、を更に備え、前記抽出手段及び前記指示情報返信手段は、前記送信者が前記特定の第三者であると確認されたとき、前記取得要求情報により取得が要求されている前記指示情報を前記指示情報蓄積手段から抽出し、前記ネットワークを介して前記送信者が操作する前記端末装置に返信するように構成される。
【００１９】
よって、第三者特定情報により示される特定関係者から指示情報の取得要求があったときに当該指示情報をその要求者に返信するので、予め設定されている関係を有する者同士で指示情報並びにそれにより示される蓄積内容情報を共有することができる。
【００２０】
上記の課題を解決するために、請求項７に記載の発明は、請求項２から４のいずれか一項に記載のサーバ装置において、前記蓄積内容情報に相当する内容を含む前記刊行物全体の内容を代表する代表情報を、前記ネットワークを介して取得するための取得情報を、前記ユーザ識別情報に関連付けて蓄積するブックマークデータベース等の取得情報蓄積手段と、前記ユーザ以外の不特定の第三者から、前記ユーザが蓄積した前記指示情報の取得を要求する旨の第三者要求情報が前記ネットワークを介して送信されて来たとき、当該取得が要求された指示情報が関連付けられている前記ユーザ識別情報に更に関連付けられている前記取得情報を、前記第三者要求情報を送信して来た前記端末装置に前記ネットワークを介して返信するシステム制御部等の取得情報返信手段と、を更に備える。
【００２１】
よって、不特定の第三者から指示情報の取得が要求されたときには、当該刊行物に対応する代表情報を取得するための取得情報を当該第三者に返信するので、当該刊行物未所持の第三者に対しては代表情報のみを取得可能とすることで、当該刊行物の著作権を考慮しつつ、ユーザの蓄積内容情報に相当する内容が含まれる刊行物を広く一般に広めることができる。
【００２２】
上記の課題を解決するために、請求項８に記載の発明は、請求項６に記載のサーバ装置において、前記返信された指示情報により示される前記蓄積内容情報に相当する内容を含む前記刊行物を購入するために必要な購入画面を、前記指示情報を返信した前記端末装置に表示させるための購入画面情報を蓄積する刊行物管理データベース等の購入画面情報蓄積手段と、前記指示情報を返信した前記端末装置を操作する前記特定の第三者から、当該指示情報により示される前記蓄積内容情報に相当する内容を含む前記刊行物を購入する旨の購入要求情報が送信されて来たとき、当該刊行物に対応する前記購入画面情報を、当該購入要求情報を送信して来た前記端末装置に前記ネットワークを介して返信するシステム制御部等の画面情報返信手段と、を更に備える。
【００２３】
よって、蓄積内容情報に相当する内容を含む刊行物を購入するための購入画面を、特定関係者に返信するので、当該特定関係者がその刊行物を購入することを促進することができる。
【００２４】
上記の課題を解決するために、請求項９に記載の発明は、請求項７に記載のサーバ装置において、前記取得情報を用いて取得される前記代表情報により代表される前記刊行物を購入するために必要な購入画面を当該端末装置に表示させるための購入画面情報を蓄積する刊行物管理データベース等の購入画面情報蓄積手段と、前記取得情報を返信した前記端末装置を操作する前記不特定の第三者から、当該取得情報を用いて取得される前記代表情報により代表される前記刊行物を購入する旨の購入要求情報が送信されて来たとき、当該刊行物に対応する前記購入画面情報を、当該購入要求情報を送信して来た前記端末装置に前記ネットワークを介して返信するシステム制御部等の画面情報返信手段と、を更に備える。
【００２５】
よって、蓄積内容情報に相当する内容を含む刊行物を購入するための購入画面を表示させるための購入画面情報を蓄積し、購入要求情報を送信して来た第三者にその購入画面情報を返信するので、当該第三者がその刊行物を購入することを促進することができる。
【００２６】
上記の課題を解決するために、請求項１０に記載の発明は、請求項９に記載のサーバ装置において、前記購入画面情報を用いて表示された前記購入画面を用いて前記刊行物が購入されたとき、当該購入されたことに伴って発生する予め設定された購入報酬が、前記第三者要求情報により取得が要求された前記指示情報を蓄積した前記ユーザに付与されることを示す報酬付与情報を生成するシステム制御部等の報酬付与情報生成手段と、前記生成された報酬付与情報を、当該指示情報を蓄積した当該ユーザに対応付けて蓄積する会員情報データベース等の報酬付与情報蓄積手段と、を更に備える。
【００２７】
よって、第三者に刊行物が購入されたことに伴う購入報酬が付与されることを示す報酬付与情報が指示情報を蓄積したユーザ毎に蓄積されるので、当該刊行物を不特定の第三者が購入することに伴った購入報酬を、結果的に当該刊行物を紹介したこととなるユーザが確実に取得することができる。
【００２８】
上記の課題を解決するために、請求項１１に記載の発明は、請求項２から１０のいずれか一項に記載のサーバ装置において、前記指示情報蓄積手段は、前記指示情報により示される前記蓄積内容情報が属するジャンル毎に区分して当該指示情報を蓄積すると共に、当該各ジャンル毎に前記指示情報の蓄積数を示す蓄積数情報を更に蓄積し、前記抽出手段は、前記指示情報を前記指示情報蓄積手段から抽出する際、当該抽出する指示情報に対応する前記蓄積数情報をも併せて抽出し、更に前記指示情報返信手段は、当該抽出された指示情報及び蓄積数情報を、前記取得要求情報を送信した前記端末装置に前記ネットワークを介して返信するように構成される。
【００２９】
よって、蓄積内容情報のジャンル毎に指示情報が蓄積されていると共にその蓄積数がジャンル毎に記憶されており、更に指示情報を返信する際に併せて蓄積数情報をも返信するので、当該指示情報の返信を受けた端末装置において当該指示情報により示される蓄積内容情報を表示する際に、当該蓄積数情報を用いた表示態様の工夫（例えば、ジャンル内容の表示の際に、蓄積数に応じてその表示態様をジャンル毎に変化させる等の工夫）を行うことができる。
【００３０】
上記の課題を解決するために、請求項１２に記載の発明は、請求項２から１１のいずれか一項に記載のサーバ装置において、前記蓄積されている指示情報自体を購入するために必要な指示情報購入画面を前記端末装置に表示させるための購入画面表示情報を蓄積する刊行物管理データベース等の画面蓄積手段と、前記指示情報の購入する旨の指示情報購入要求情報が前記ネットワークを介して送信されて来たとき、当該指示情報購入要求情報により示される前記指示情報に対応する前記購入画面表示情報を、当該指示情報購入要求情報を送信して来た前記端末装置に対して前記ネットワークを介して返信するシステム制御部等の画面表示情報返信手段と、を更に備える。
【００３１】
よって、指示情報自体の購入が所望される場合において、当該購入のための購入画面表示情報を対応する端末装置に返信するので、当該指示情報自体を販売の対象として第三者等に購入させることができる。
【００３２】
上記の課題を解決するために、請求項１３に記載の発明は、ネットワークを介して端末装置と接続されたサーバ装置において実行される情報処理方法において、前記端末装置を操作するユーザが所持している刊行物の内容を構成する内容情報の中から当該ユーザが蓄積を所望するものとして当該端末装置において選択した蓄積内容情報を示す指示情報が、前記ネットワークを介して当該端末装置から送信されて来たとき、当該指示情報を受信する指示情報受信工程と、前記受信された指示情報を、前記ユーザを識別するためのユーザＩＤ等のユーザ識別情報に対応付けてブックマークデータベース等の指示情報蓄積手段に蓄積する指示情報蓄積工程と、前記蓄積された指示情報の取得を要求する取得要求情報が、前記ネットワークを介して前記端末装置から送信されて来たとき、当該取得要求情報を受信する取得要求情報受信工程と、前記受信した取得要求情報により取得が要求されている前記指示情報を前記指示情報蓄積手段から抽出する抽出工程と、前記抽出された指示情報を、前記取得要求情報を送信した前記端末装置に前記ネットワークを介して返信する指示情報返信工程と、を含む。
【００３３】
よって、端末装置を操作するユーザが所持している刊行物について当該ユーザが選択した蓄積内容情報を示す指示情報を蓄積し、後ほどそのユーザが当該蓄積されている指示情報を取得することを可能とするので、当該ユーザが多数の刊行物を所持している場合でも、それらの刊行物の中で興味のある蓄積内容情報を、いつでも当該指示情報を手掛かりに迅速且つ簡易に取得／閲覧することができる。
【００３４】
上記の課題を解決するために、請求項１４に記載の発明は、ネットワークを介して端末装置と接続されているコンピュータを、請求項２から１２のいずれか一項に記載のサーバ装置として機能させる。
【００３５】
よって、当該コンピュータを請求項２に記載のサーバ装置として機能させる場合には、端末装置を操作するユーザが所持している刊行物について当該ユーザが選択した蓄積内容情報を示す指示情報を蓄積し、後ほどそのユーザが当該蓄積されている指示情報を取得することを可能とする用に当該コンピュータが機能するので、当該ユーザが多数の刊行物を所持している場合でも、それらの刊行物の中で興味のある蓄積内容情報を、いつでも当該指示情報を手掛かりに迅速且つ簡易に取得／閲覧することができる。
【００３６】
また、当該コンピュータを請求項３に記載のサーバ装置として機能させる場合には、当該コンピュータを請求項２に記載のサーバ装置として機能させる場合に加えて、ユーザ識別情報と刊行物特定情報との関連付けるユーザ購入情報を蓄積し、送信されてきた取得要求情報に含まれているユーザ識別情報と刊行物特定情報との関連付けが、蓄積されているユーザ購入情報のいずれかにおける関連付けの内容と一致したときのみ指示情報を返信するように当該コンピュータが機能するので、実際に刊行物を所持しているユーザ以外の第三者に蓄積内容情報が取得されてしまうことを防止できる。
【００３７】
更に、当該コンピュータを請求項４に記載のサーバ装置として機能させる場合には、当該コンピュータを請求項２に記載のサーバ装置として機能させる場合に加えて、ユーザ識別情報と内容特定情報との関連付けるユーザ購入情報を蓄積し、送信されてきた取得要求情報に含まれているユーザ識別情報と内容特定情報との関連付けが、蓄積されているユーザ購入情報のいずれかにおける関連付けの内容と一致したときのみ指示情報を返信するように当該コンピュータが機能するので、実際に刊行物を所持しているユーザ以外の第三者に蓄積内容情報が取得されてしまうことを防止できる。
【００３８】
更にまた、当該コンピュータを請求項５に記載のサーバ装置として機能させる場合には、当該コンピュータを請求項２から４のいずれか一項に記載のサーバ装置として機能させる場合に加えて、第三者特定情報により示される当該刊行物の購入者から指示情報の取得要求があったときに当該指示情報をその要求者に指示情報を返信するように当該コンピュータが機能するので、同じ刊行物を所持している者同士で指示情報並びにそれにより示される蓄積内容情報を共有することができる。
【００３９】
また、当該コンピュータを請求項６に記載のサーバ装置として機能させる場合には、当該コンピュータを請求項２から４のいずれか一項に記載のサーバ装置として機能させる場合に加えて、第三者特定情報により示される特定関係者から指示情報の取得要求があったときに当該指示情報をその要求者に返信するように当該コンピュータが機能するので、予め設定されている関係を有する者同士で指示情報並びにそれにより示される蓄積内容情報を共有することができる。
【００４０】
更に、当該コンピュータを請求項７に記載のサーバ装置として機能させる場合には、当該コンピュータを請求項２から４のいずれか一項に記載のサーバ装置として機能させる場合に加えて、不特定の第三者から指示情報の取得が要求されたときには、当該刊行物に対応する代表情報を取得するための取得情報を当該第三者に返信するように当該コンピュータが機能するので、当該刊行物未所持の第三者に対しては代表情報のみを取得可能とすることで、当該刊行物の著作権を考慮しつつ、ユーザの蓄積内容情報に相当する内容が含まれる刊行物を広く一般に広めることができる。
【００４１】
更にまた、当該コンピュータを請求項８に記載のサーバ装置として機能させる場合には、当該コンピュータを請求項６に記載のサーバ装置として機能させる場合に加えて、蓄積内容情報に相当する内容を含む刊行物を購入するための購入画面を、特定関係者に返信するように当該コンピュータが機能するので、当該特定関係者がその刊行物を購入することを促進することができる。
【００４２】
また、当該コンピュータを請求項９に記載のサーバ装置として機能させる場合には、当該コンピュータを請求項７に記載のサーバ装置として機能させる場合に加えて、蓄積内容情報に相当する内容を含む刊行物を購入するための購入画面を表示させるための購入画面情報を蓄積し、購入要求情報を送信して来た第三者にその購入画面情報を返信するように当該コンピュータが機能するので、当該第三者がその刊行物を購入することを促進することができる。
【００４３】
更に、当該コンピュータを請求項１０に記載のサーバ装置として機能させる場合には、当該コンピュータを請求項９に記載のサーバ装置として機能させる場合に加えて、第三者に刊行物が購入されたことに伴う購入報酬が付与されることを示す報酬付与情報が指示情報を蓄積したユーザ毎に蓄積されるように当該コンピュータが機能するので、当該刊行物を不特定の第三者が購入することに伴った購入報酬を、結果的に当該刊行物を紹介したこととなるユーザが確実に取得することができる。
【００４４】
更にまた、当該コンピュータを請求項１１に記載のサーバ装置として機能させる場合には、当該コンピュータを請求項２から１０のいずれか一項に記載のサーバ装置として機能させる場合に加えて、蓄積内容情報のジャンル毎に指示情報が蓄積されていると共にその蓄積数がジャンル毎に記憶されており、更に指示情報を返信する際に併せて蓄積数情報をも返信するように当該コンピュータが機能するので、当該指示情報の返信を受けた端末装置において当該指示情報により示される蓄積内容情報を表示する際に、当該蓄積数情報を用いた表示態様の工夫（例えば、ジャンル内容の表示の際に、蓄積数に応じてその表示態様をジャンル毎に変化させる等の工夫）を行うことができる。
【００４５】
また、当該コンピュータを請求項１２に記載のサーバ装置として機能させる場合には、当該コンピュータを請求項２から１１のいずれか一項に記載のサーバ装置として機能させる場合に加えて、指示情報自体の購入が所望される場合において、当該購入のための購入画面表示情報を対応する端末装置に返信するので、当該指示情報自体を販売の対象として第三者等に購入させることができる。
【発明の効果】
【００４６】
本発明によれば、端末装置を操作するユーザが所持している刊行物について当該ユーザが選択した蓄積内容情報を示す指示情報がサーバ装置内に蓄積され、そのユーザが当該蓄積されている指示情報を取得可能となるので、当該ユーザが多数の刊行物を所持している場合でも、それらの刊行物の中で興味のある蓄積内容情報を、いつでも当該指示情報を手掛かりに迅速且つ簡易に取得／閲覧することができる。
【００４７】
従って、当該ユーザは、自身が選択した蓄積内容情報に相当する内容を含む刊行物自体を当該ユーザが所持し続ける必要がなく、自身が所持する刊行物を減少させつつ、必要な蓄積内容情報を迅速且つ簡易に閲覧することができる。
【発明を実施するための最良の形態】
【００４８】
次に、本発明を実施するための最良の形態について、図面に基づいて説明する。なお、以下に説明する実施形態は、複数のサーバと、パーソナルコンピュータ等により構成される端末装置と、がインターネット等のネットワークを介して接続されたネットワークシステムにおいて実行される刊行物の閲覧サービス（以下、当該閲覧サービスを、単に「本サービス」と称する）に対して本発明を適用した場合の実施の形態である。
【００４９】
（I）全体構成及び動作概要
初めに、実施形態に係るネットワークシステムの全体構成及び本サービスに係る動作概要について、図１及び図２を用いて説明する。なお、図１は当該ネットワークシステムの概要構成を示すブロック図であり、図２は、当該ネットワークシステムに含まれる各データベースの内容を例示する図である。
【００５０】
図１に示すように、実施形態に係るネットワークシステムＳは、著作物サーバＣＳＶと、刊行物管理サーバＲＳＶと、会員情報サーバＭＳＶと、各端末装置Ｔ１、Ｔ２、Ｔ３、Ｔ４、…、Ｔｎと、を含んでおり、これらがネットワークＮＴを介して相互にデータの授受が可能となるように接続されて構成されている。
【００５１】
この構成において、著作物サーバＣＳＶは、著作物データベースＣＤＢが接続されており、当該著作物データベースＣＤＢの内容を管理する。
【００５２】
また、刊行物管理サーバＲＳＶは、購入情報蓄積手段及び購入画面情報蓄積手段としての刊行物管理データベースＢＤＢ及び本発明に係る指示情報蓄積手段、取得情報蓄積手段、報酬付与情報蓄積手段及び画面蓄積手段としてのブックマークデータベースＢＭＤＢが夫々接続されており、当該刊行物管理データＢＤＢ及びブックマークデータベースＢＭＤＢの内容を管理する。
【００５３】
更に、会員情報サーバＭＳＶは、特定情報蓄積手段としての会員情報データベースＭＤＢが接続されており、当該会員情報データベースＭＤＢの内容を管理する。
【００５４】
更にまた、ネットワークＮＴは、例えば、上記インターネットの他、専用通信回線（例えば、ＣＡＴＶ（Community Antenna Television）回線）、移動体通信網（基地局等を含む）、及びゲートウェイ等により構築されている。
【００５５】
ここで、ネットワークＮＴとしてインターネットを用いる場合では、ネットワーク層及びトランスポート層における通信プロトコルとしては、例えば、ＴＣＰ／ＩＰ（Transmission Control Protocol/Internet Protocol）が用いられている。これに対し、ネットワークＮＴとして移動体通信網（パケット網）を用いる場合では、例えば、ＴＣＰ／ＩＰを当該移動通信網に合わせたプロトコル等が用いられる。そして、これらインターネット及び移動体通信網を複合化してネットワークＮＴを構築する場合には、当該移動体通信網の関門局等に備えられ且つインターネットと移動体通信網との間における通信を中継する図示しないゲートウェイサーバにおいて通信プロトコルの変換を行う必要がある。
【００５６】
また、ネットワークＮＴとしてインターネットを用いる場合、いわゆるＷｅｂページ（例えば、ＨＴＭＬ（Hyper Text Markup Language）、画像データ、音声データ、テキストデータ等により構成されている）を送受信するために、例えばＨＴＴＰ（Hyper Text Transfer Protocol）が用いられ、更に電子メールの送受信には、例えばＳＭＴＰ（Simple Mail Transfer Protocol）が用いられているが、移動体通信網内においては、これらとは異なるプロトコルが用いられている場合があるため、上記ゲートウェイサーバにおいてアプリケーション層における通信プロトコルの変換を行う必要がある。
【００５７】
次に、上記著作物データベースＣＤＢ、刊行物管理データベースＢＤＢ、ブックマークデータベースＢＭＤＢ及び会員情報データベースＭＤＢ夫々の内容について、具体的に図を用いて説明する。
【００５８】
先ず、図２（ａ）を用いて、著作物データベースＣＤＢの内容について説明する。
【００５９】
図２（ａ）に示すように、著作物データベースＣＤＢには、いわゆるＩＳＢＮ（International Standard Book Number）により識別される書籍等の刊行物の内容自体に相当する電子データが、当該刊行物毎に複数蓄積されている。ここで、当該刊行物としては、例えば、雑誌を除く各種の書籍（単行本や漫画誌等）の他、いわゆるＣＤ−ＲＯＭ（Compact Disc - Read Only Memory）、カセット、マイクロフィルム等を含むものである。
【００６０】
そして、当該著作物データベースＣＤＢは、一つの上記刊行物に相当する刊行物データ２００を複数含んで構成されており、更に当該刊行物データ２００は、上記ＩＳＢＮデータ２０１と、表示データ２０２と、著作物データ２０３と、価格データ２０４と、出版社名データ２０５と、により構成されている。
【００６１】
このとき、表示データ２０２はその刊行物の表紙又はジャケット等を電子化した画像データである。また、著作物データ２０３は当該刊行物内の各頁毎にその内容（すなわち、その頁に掲載されている画像や文章等）を電子化したデータである内容情報である。更に価格データ２０４は、その刊行物の価格を示すデータである。最後に、出版社名データ２０５はその刊行物を出版した出版社名を示すデータである。以上の通り、刊行物データ２００には、一冊の刊行物（書籍）の内容が含まれることになる。
【００６２】
ここで、上記ＩＳＢＮは、世界共通で書籍（図書）を特定するために用いられている番号であって、我が国ではいわゆる日本図書コードとして用いられているものである。より具体的には、当該ＩＳＢＮは、一般に十桁のコードで表され、通常四つのパートからなるものであり、例えば、「ＩＳＢＮ●−ＡＡＡＡ−ＢＢＢＢ−Ｃ」のように表示される。そして、夫々のパートについては、先ず「●」の部分は「グループ記号」と称される部分であり、その刊行物が出版された国、地域、言語圏を示し、「ＡＡＡＡ」の部分はその刊行物を出版した出版社を示す部分であり、「ＢＢＢＢ」の部分はその刊行物に固有の番号として原則として刊行物の「版」毎に付与される番号である。そして、「Ｃ」部分は、いわゆるチェックデジットであって、そのＩＳＢＮが入力された際に誤りがないかを確認するための部分である。
【００６３】
なお、図２（ａ）に示す著作物データベースＣＤＢでは、各刊行物をその版毎にＩＳＢＮを用いて識別することとしているが、この場合は刊行物として雑誌を含ませることができないため、例えば、当該雑誌を含む全ての刊行物を相互に識別し得る独自の識別情報を用いて各刊行物を識別しても良い。更に、雑誌については、雑誌を特定するために用いられている共通雑誌コードを用いて、雑誌を識別するようにしても良い。
【００６４】
また、上記ＩＳＢＮは、上述したように一つの「版」毎に一つの番号が付されるのが原則であり、同じ版として同時に印刷（増刷）される複数冊の刊行物の夫々について、当該刊行物一冊々々を識別するための番号ではない。そこで、本発明では、当該刊行物一冊々々を個々に他の刊行物（同一版の他の刊行物を含む。以下、同様）から識別するための情報として、後述する「シリアル番号」を当該刊行物一冊毎に付与される刊行物特定情報として導入する。
【００６５】
次に、図２（ｂ）を用いて、刊行物管理データベースＢＤＢの内容について説明する。
【００６６】
図２（ｂ）に示すように、刊行物管理データベースＢＤＢは、刊行物における上記版毎に、その刊行物を購入した者を購入ユーザＩＤ及び上記シリアル番号を用いて管理するためのデータベースである。そして、当該刊行物管理データベースＢＤＢは、当該刊行物における一つの版（上記ＩＳＢＮにより識別される版）に対応する刊行物管理データ３００を複数含んで構成されており、更に一つの刊行物管理データ３００は、上記ＩＳＢＮデータ３０１と、題号データ３０２と、価格データ３０３と、出版社名データ３０４と、購入者データ３０５と、により構成されている。
【００６７】
この構成において、題号データ３０２は、それが含まれている刊行物管理データ３００に対応する刊行物の題号を示すデータである。また、価格データ３０３は、その刊行物の価格を示すデータです。また、出版社名データ３０４は、その刊行物を出版した出版社名を示すデータである。更に、購入者データ３０５は、当該刊行物一冊毎にそのシリアル番号とそれを購入した購入者を示す識別情報とが関連付けられてなるデータである。ここで、当該各購入者データ３０５としては、シリアル番号データ３０６と、購入ユーザＩＤデータ３０７と、が関連付けられて構成されているものである。そして、当該シリアル番号データ３０６は上記刊行物一冊毎に夫々対応するシリアル番号を示すデータであり、購入ユーザＩＤデータ３０７は、当該シリアル番号データ３０６により示されるシリアル番号が対応する刊行物を購入した購入者を示すデータである。よって、当該購入者データ３０５は、当該刊行物の発売数分だけ刊行物管理データ３００内に含まれていることとなる。
【００６８】
次に、図２（ｃ）を用いて、会員情報データベースＭＤＢの内容について説明する。
【００６９】
図２（ｃ）に示すように、会員情報データベースＭＤＢは、本発明に係るネットワークシステムＳを利用する旨の登録をした会員毎の会員データ１００であって、その会員における登録内容を示す会員データ１００を当該会員数だけ含んで構成されている。そして、一人分の会員に相当する会員データ１００は、ユーザＩＤデータ１０１と、パスワードデータ１０２と、氏名データ１０３と、郵便番号データ１０４と、住所データ１０５と、メールアドレスデータ１０６と、生年月日データ１０７と、性別データ１０８と、クレジットカード番号データ１０９と、有効期限データ１１０と、ニックネームデータ１１１と、友達リストデータ１１２と、ジャンル別ブックマーク数データ１１３と、により構成されている。この構成において、ユーザＩＤデータ１０１は、それが含まれている会員データ１００に対応する会員に固有のユーザＩＤを示すデータである。また、パスワードデータ１０２は、当該会員をネットワークシステムＳ内において認証する際に用いられるパスワードを示すデータである。また、氏名データ１０３は当該会員の氏名を示すデータであり、郵便番号データ１０４は当該会員の住所に相当する郵便番号を示すデータであり、住所データ１０５は当該会員の住所そのものを示すデータである。また、メールアドレスデータ１０６は当該会員が用いるものとして登録している電子メールのアドレスを示すデータである。また、生年月日データ１０７は当該会員の生年月日を示すデータであり、性別データ１０８は当該会員の性別を示すデータである。更に、クレジットカード番号データ１０９は当該会員がネットワークシステムＳを利用する際の支払いに用いるものとして登録したクレジットカードの番号を示すデータであり、有効期限データ１１０は当該クレジットカードの有効期限を示すデータである。最後に、ニックネームデータ１１１は当該会員がネットワークシステムＳを利用する際の別名であるニックネームを示すデータである。
【００７０】
更に、上記友達リストデータ１１２とは、当該会員に対して特定の関係を示すユーザにより構成される友達リストの識別情報及び当該友達リストに登録されているユーザ（当該会員を含む）を示すユーザＩＤ等を含む友達リストのデータである。また、ジャンル別ブックマーク数データ１１３とは、当該会員が上記ブックマークデータベースＢＭＤＢ内に蓄積させた後述するブックマークデータの、後述するジャンル別の数を示すデータである。
【００７１】
最後に、図２（ｄ）を用いて、ブックマークデータベースＢＭＤＢの内容について説明する。
【００７２】
図２（ｄ）に示すように、ブックマークデータベースＢＭＤＢは、各刊行物一冊毎且つ当該刊行物を購入したユーザ毎に対応付けられたブックマーク管理データ４００を複数含んで構成されている。そして、各ブックマーク管理データ４００は、ＩＳＢＮデータ４０１と、表紙データＵＲＬデータ４０２と、シリアル番号データ４０３と、ユーザＩＤデータ４０４と、ブックマークデータ４０５と、により構成されている。この構成において、ＩＳＢＮデータ４０１はそれが含まれているブックマーク管理データ４００に対応する刊行物の版に相当するデータである。また、表紙データＵＲＬデータ４０２は、当該ＩＳＢＮデータ４０１により示されるＩＳＢＮに相当する版の刊行物の表紙に相当する表紙データ２０２（図２（ａ）参照）の、ネットワークシステムＳ上における所在ＵＲＬ（Uniform Resource Locator）を示すデータである。また、シリアル番号データ４０３はその刊行物自体に付与されたシリアル番号を示すデータである。また、ユーザＩＤデータ４０４は当該シリアル番号が付与されている刊行物を購入したユーザを示すデータである。最後に、と、ブックマークデータ４０５は当該ユーザＩＤにより示されるユーザが蓄積させた本発明に係る指示情報としてのデータである。
【００７３】
ここで、当該ブックマークデータ４０５とは、当該ユーザが購入した刊行物（すなわち、上記シリアル番号データ４０３により示されるシリアル番号が付与されている一冊の刊行物）の内容を構成する一又は複数の著作物データ２０３のうち、後から再度閲覧するであろうものとして当該ユーザが設定操作した当該著作物データ２０３の、ネットワークシステムＳ上における所在ＵＲＬ、当該著作物データ２０３自体の内容の概要を示す概要データ、当該内容自体の先頭から数文字分に相当する文字データ、及び当該著作物データ２０３に相当する内容を含む上記刊行物のＩＳＢＮ等を含むデータである（以下、当該所在ＵＲＬ、概要データ、文字データ及びＩＳＢＮ等を、纏めて所在ＵＲＬ等と称する）。従って、そのユーザが購入した刊行物内の著作物データ２０３のうちそのユーザが設定処理した著作物データ２０３夫々を個々に示すものとして、一又は複数のブックマークデータ４０５が一つのブックマーク管理データ４００内に含まれることとなる。
【００７４】
また、各ブックマークデータ４０５には、例えば「株」、「コミュニケーション」、「時間管理」、「経営」、「経済」、「口説き方」、「テニス入門」又は「カリスマ」の如きいわゆるジャンルが関連付けられており、当該ブックマークデータ４０５は各ジャンル毎にブックマーク管理データ４００内に蓄積されている。
【００７５】
次に、上述した構成を備えるネットワークシステムＳの動作概要について説明する。
【００７６】
当該ネットワークシステムＳにおいて、その利用について予め登録することで会員情報データベースＭＤＢ内に対応する会員データ１００が蓄積されているユーザは、購入又は貸し出しを受けること等により自らが所持することとなった刊行物について、その内容に相当する著作物データ２０３の内容をいずれかの端末装置Ｔから閲覧することが可能となる。このとき、当該閲覧のためには、上記パスワードデータ１０２により示されるパスワードを用いたいわゆるログイン操作が必要となる。
【００７７】
一方、各ユーザが所持している刊行物については、その一冊毎に上記シリアル番号が付与されているが、いずれのユーザがいずれのシリアル番号を有する刊行物を所持しているかについては、上記購入者データ３０５として刊行物管理データベースＢＤＢ内に蓄積されている。
【００７８】
そして、各著作物データ２０３を閲覧中においては、各ユーザは、自らが後ほど再閲覧するであろうと考える著作物データ２０３を選択し、その著作物データ２０３に相当する上記ブックマークデータ４０５をブックマークデータベースＢＭＤＢ内の対応するブックマーク管理データ４００の一部として蓄積させる。
【００７９】
これにより、後の時点において再度ログインした当該ユーザは、当該ブックマーク管理データ４００から自らが蓄積したブックマークデータ４０５を読み出し、自らが操作する端末装置Ｔ上にその内容（すなわち、そのブックマークデータ４０５により示される所在ＵＲＬ等）を表示させることにより、当該表示されている所在ＵＲＬ等の操作（クリック操作）を介して所望する著作物データ２０３を迅速に再度閲覧することができる。
【００８０】
他方、当該ブックマークデータ４０５により所在ＵＲＬ等が示されている著作物データ２０３を、当該ブックマークデータ４０５を蓄積させたユーザ以外の者に閲覧させることも可能とされる。
【００８１】
すなわち、上記友達リストデータ１１２に登録されている自己以外の登録者、及び、刊行物管理データベースＢＤＢ内に蓄積されている購入者データ３０５を用いて特定される同一刊行物の所持者に対しては、自らが蓄積させたブックマークデータ４０５を含むブックマーク管理データ４００の内容が開示される。そして、当該登録者及び所持者は、当該刊行物を購入していることを条件として、そのブックマークデータ４０５により所在ＵＲＬ等が示されている著作物データ２０３を閲覧できる。これにより、当該登録者及び所持者との間で著作物データ２０３に相当する刊行物の内容を共有することができることとなる。
【００８２】
更に、上記友達リストデータ１１２に登録されている者及び同一刊行物の購入者以外の不特定の第三者に対しては、上記表紙データＵＲＬデータ４０２及びブックマークデータ４０５を用いて、そのユーザが所持している刊行物の表紙並びにその表紙を有する刊行物についてそのユーザが蓄積させたブックマークデータ４０５の概要のみが閲覧可能とされる。
【００８３】
これにより、その表紙やブックマークの概要を閲覧した不特定第三者は、当該閲覧内容を参考にしてその表紙に相当する刊行物を購入等することが可能となる。
【００８４】
（II）各サーバの細部構成
次に、上記著作物サーバＣＳＶ、刊行物管理サーバＲＳＶ及び会員情報サーバＭＳＶ夫々の細部構成について、具体的に図３を用いて説明する。なお、当該著作物サーバＣＳＶ、刊行物管理サーバＲＳＶ及び会員情報サーバＭＳＶ夫々は、基本的には同一のハードウエア構成を備えたものであるので、図３においては、これらを纏めてサーバＳＶとして説明する。
【００８５】
図３に示すように、各サーバＳＶは、操作部１１と、表示部１２と、ドライブ部１４と、例えばハードディスクドライブ等からなる記憶部１５と、入出力インタフェース部１６と、システム制御部２０と、により構成されている。そして、システム制御部２０と入出力インタフェース部１６とは、システムバス２１を介して相互にデータの授受が可能に接続されている。
【００８６】
この構成において、操作部１１は、例えば、キーボード、マウス等であり、サーバＳＶのオペレータ等からの操作指示を受け付け、その指示内容を指示信号としてシステム制御部２０に出力する。次に、表示部１２は、例えばＣＲＴ（Cathode Ray Tube）ディスプレイ又は液晶ディスプレイ等として構成されており、文字や画像等として必要な情報を表示する。
【００８７】
一方、通信部１３は、ネットワークＮＴに接続して各端末装置Ｔとの通信状態を制御する。更にドライブ部１４は、例えば、フレキシブルディスク、ＣＤ、ＤＶＤ（Digital Versatile Disc）等の記録媒体から必要なデータ等を読み出すと共に、当該記録媒体に対して必要なデータ等を記録する。また、記憶部１５は、各サーバＳＶとしての動作を制御するために必要な各種プログラムや、上記著作物データベースＣＤＢ等を蓄積記憶する。更に、入出力インタフェース部１６は、上記操作部１１乃至記憶部１５と、システム制御部２０と、の間のインタフェース処理を行う。
【００８８】
ここで、サーバＳＶが上記著作物サーバＣＳＶである場合、上記記憶部１５は上記著作物データベースＣＤＢを蓄積記憶する。また、サーバＳＶが上記刊行物管理サーバＲＳＶである場合、上記記憶部１５は上記刊行物管理データベースＢＤＢ及び上記ブックマークデータベースＢＭＤＢを蓄積記憶する。更にサーバＳＶが上記会員情報サーバＭＳＶである場合、上記記憶部１５は上記会員情報データベースＭＤＢを蓄積記憶する。
【００８９】
更にまた、上記システム制御部２０は、ＣＰＵ（Central Processing Unit）１７、ＲＯＭ（Read Only Memory）１８及びＲＡＭ（Random Access Memory）１９等を備える。
【００９０】
ここで、各サーバＳＶの記憶部１５には、上記各種プログラムとして、所定のオペレーティングシステムの他、ＨＴＴＰプロトコルを用いて、端末装置Ｔから送信されたリクエストに応じた処理を実行するためのＷＷＷ（World Wide Web）サーバプログラムや各会員データ１００等を管理するための会員情報管理プログラム等が記憶されている。
【００９１】
なお、当該各種プログラム等は、例えば、図示しない他のサーバ等からネットワークＮＴを介して取得されるようにしても良いし、ＣＤ−ＲＯＭ等の記録媒体に記録されてドライブ部１４を介して読み込まれるようにしても良い。
【００９２】
また、刊行物管理サーバＲＳＶを構成するシステム制御部２０は、本実施形態において、指示情報受信手段、取得要求情報受信手段、抽出手段、指示情報返信手段、確認手段、取得情報返信手段、画面情報返信手段及び画面表示情報返信手段の一例を構成している。
【００９３】
更に、会員情報サーバＭＳＶを構成するシステム制御部２０は、本実施形態において、報酬付与情報生成手段の一例を構成している。
【００９４】
そして、システム制御部２０は、ＣＰＵ１７が、ＲＯＭ１８や記憶部１５に記憶された各種プログラムを読み出して実行することにより各サーバＳＶの各部を制御すると共に、上述した各手段等として機能するようになっている。
【００９５】
（III）各端末装置の細部構成
次に、上記各端末装置Ｔ１、Ｔ２、Ｔ３、Ｔ４、…、Ｔｎ夫々の細部構成について、具体的に図４を用いて説明する。なお、当該端末装置Ｔ１、Ｔ２、Ｔ３、Ｔ４、…、Ｔｎ夫々は、基本的には同一のハードウエア構成を備えたものであるので、図４においては、これらを纏めて端末装置Ｔとして説明する。
【００９６】
図４に示すように、端末装置Ｔは、その使用者からの操作指示を受け付け、その指示内容を指示信号としてシステム制御部４１に出力する操作部３１（例えば、キーボード、マウス等）と、文字や画像等の情報を画面に表示する表示部３２（例えば、液晶ディスプレイ等）と、を備えている。
【００９７】
また、端末装置Ｔは、例えば、ＰＳＴＮ（Public Switched Telephone Network）、ＦＴＴＨ（Fiber To The Home）等の有線通信網を介してネットワークＮＴに接続可能するための通信部３３と、例えば、フレキシブルディスク、ＣＤ、ＤＶＤ等の記録媒体から必要なデータ等を読み出すと共に、当該記録媒体に対してデータ等を記録するドライブ部３４と、を備える。
【００９８】
更に各端末装置Ｔは、各種プログラム及びデータ等を記憶する記憶部３５（例えば、ハードディスク等）を備えている。このとき、記憶部３５には、例えば、端末装置Ｔの各部を制御するための制御プログラム、ＨＴＴＰプロトコル等を用いてＷＷＷサーバとの通信を行い、当該ＷＷＷサーバから送信されたページデータを画面に表示するためのＷｅｂブラウザアプリケーション、ＪＡＶＡ（登録商標）等の形式によるプログラムを実行するためのプログラム等が記憶されている。
【００９９】
また更に、端末装置Ｔは、操作部３１乃至記憶部３５とシステム制御部４１との間のインタフェース処理を行う入出力インタフェース部３７と、ＣＰＵ３８、ＲＯＭ３９、ＲＡＭ４０等を備えるシステム制御部４１（例えば、マイクロコンピュータ等）と、を備え、システム制御部４１と入出力インタフェース部３７とは、システムバス４２を介して接続されている。
【０１００】
ここで、システム制御部４１は、本実施形態において、内容情報取得手段、指示情報送信手段、取得要求情報送信手段及び蓄積内容情報取得手段の一例を構成しており、また操作部３１は、選択手段の一例を構成している。
【０１０１】
そして、システム制御部４１は、ＣＰＵ３８が、ＲＯＭ３９や記憶部３６に記憶された各種プログラムを読み出して実行することにより端末装置Ｔ全体を制御するともに、上述した各手段等として機能するようになっている。
【実施例】
【０１０２】
次に、上記の構成を備えるネットワークシステムＳにおいて実行される本サービスに係る処理について、具体的に図５乃至図２２を用いて実施例として説明する。
【０１０３】
（Ｉ）ユーザ自身によるブックマークデータ登録処理
初めに、本サービスの一部であるブックマークデータ４０５の登録処理の実施例について、具体的に図５乃至図７を用いて説明する。なお、図５は当該登録処理の全体を示すフローチャートであり、図６は当該登録処理中に端末装置Ｔにおいて表示される画面例を示す図であり、図７は当該登録処理の一部として実行されるジャンル表示欄表示処理を示すフローチャートである。
【０１０４】
実施例に係るブックマークデータ４０５の登録処理においては、初めに、当該登録処理を実行しようとするユーザが、自身が操作する端末装置Ｔ（以下、当該操作される端末装置を端末装置Ｔ１とする）を用いて、本サービスを開始するためのトップページを当該端末装置Ｔ１の表示部３２に表示させるためのトップページ画面要求情報を、刊行物管理サーバＲＳＶに送信する（ステップＳ１）。
【０１０５】
これにより、刊行物管理サーバＲＳＶは、当該トップページ画面要求情報を受信すると共に、当該トップページを表示するために必要な画像データ等を、トップページ情報として上記トップページ画面要求情報を送信してきた端末装置Ｔ１に返信する（ステップＳ１１）。
【０１０６】
そして、当該トップページ情報を受信した（ステップＳ２）端末装置Ｔ１においては、当該受信したトップページ情報を用いてそれに対応する図示しないトップページを表示部３２上に表示し（ステップＳ３）、更に当該表示されているトップページ上のログインボタン等を当該端末装置Ｔ１のユーザが操作することにより、ログイン処理のために必要な情報を得るためのログイン要求情報を、今度は会員情報サーバＭＳＶに対して送信する（ステップＳ４）。
【０１０７】
次に、当該ログイン要求情報を受信した会員情報サーバＭＳＶは、当該ログイン要求情報に対応するログイン画面を表示するために必要な画像データ等を、ログインページ情報として上記ログイン要求情報を送信してきた端末装置Ｔ１に返信する（ステップＳ１２）。
【０１０８】
そして、当該ログインページ情報を受信した端末装置Ｔ１においては、当該受信したログインページ情報を用いてそれに対応するログインページを表示部３２上に表示し、更に当該表示されているログインページを用いて上記ログイン処理を実行する（ステップＳ５）。このとき、当該ログイン処理として具体的には、例えば当該ログインしようとしているユーザを示すユーザＩＤ及びパスワード（図２（ｂ）符号１０１及び１０２参照）がその端末装置Ｔ１においてそのユーザにより入力されると、それらを会員情報サーバＭＳＶに送信する処理が実行される（ステップＳ５）。
【０１０９】
そして、当該ユーザＩＤ及びパスワードに夫々相当するデータを受信した会員情報サーバＭＳＶは、その時点で会員情報データベースＭＤＢ内に蓄積されている会員データ１００の内容と当該送信されてきたユーザＩＤ等を照合し、当該ユーザＩＤ等を送信してきた端末装置Ｔ１を操作するユーザが、予め本サービスを享受できるものとして登録されているユーザのいずれかに該当するか否かの認証処理を、例えばパスワード照合法等の周知の方法で実行する（ステップＳ１３）。
【０１１０】
これにより、当該ユーザＩＤ等を送信してきたユーザが登録済みのユーザであることが認証できたならば、そのことを示す証明書としての内容を含む証明書データを会員情報サーバＭＳＶにおいて生成し、当該証明書データをネットワークＮＴを介して端末装置Ｔ１に送信し、記録させる（ステップＳ１３、Ｓ６）。なお、当該証明書データを会員情報サーバＭＳＶから端末装置Ｔ１に送信する際における当該証明書データ自体の保全性・秘匿性を高めるべく、当該証明書データ自体を例えば共通鍵方式又は公開鍵方式等を用いて暗号化した上で端末装置Ｔ１に送信するとなおよい。
【０１１１】
次に、刊行物管理サーバＲＳＶは、当該認証されたユーザが操作する端末装置Ｔ１に対して、当該ユーザ専用の操作画面（以下、当該専用の操作画面を、単に「マイページ」と称する）を当該端末装置Ｔ１上において表示するために必要な画像データ等を、マイページ情報として送信する（ステップＳ１４）。
【０１１２】
そして、当該マイページ情報を受信した端末装置Ｔ１は、当該情報に対応するマイページを表示部３２上に表示する（ステップＳ７）。
【０１１３】
これにより、当該マイページ上において、購入又は貸し出し等によりそのユーザが所持している刊行物の内容に相当する著作物データ２０３をその端末装置Ｔ１において取得すべく、当該刊行物を示す上記シリアル番号の入力操作が実行されると共に当該著作物データ２０３を要求する旨の要求操作がそのマイページ上において実行されると、当該各操作に対応したシリアル番号データ、送信要求情報及び上記受信済（ステップＳ６参照）の証明書データが、夫々著作物サーバＣＳＶに出力される（ステップＳ８）。
【０１１４】
ここで、当該ステップＳ７及びＳ８の処理に用いられるマイページであって端末装置Ｔ１において表示されるマイページに相当する画面例について、具体的に図６（ａ）を用いて説明する。
【０１１５】
図６（ａ）に例示するように、マイページＳＩＮの構成例としては、例えば、シリアル番号入力欄６０と、送信ボタン６１と、写真表示欄６２と、プロフィール表示欄６３と、ジャンルを表示するジャンル表示欄６４と、が少なくとも含まれている。
【０１１６】
この構成において、シリアル番号入力欄６０は上記シリアル番号を入力するための欄である。また、送信ボタン６１は、上記ステップＳ８における各操作に対応するデータを著作物サーバＣＳＶに送信する際に操作されるボタンである。更に、写真表示欄６２は、そのマイページに対応するユーザ自身を示す写真等が表示される欄である。更にまた、プロフィール表示欄６３は、当該ユーザの簡単なプロフィール等が文字表示される欄である。最後に、ジャンル表示欄６４は、その時点で当該ユーザが蓄積させているブックマークデータ４０５が夫々に属しているジャンルが表示される欄である。
【０１１７】
なお、図６に例示するジャンル表示欄６４においては、図７を用いて後述するジャンル表示欄表示処理が割り込み処理等の態様にて実行されることにより、ブックマークデータベースＢＭＤＢにジャンル毎に蓄積されているブックマークデータ４０５の数が多い当該ジャンルほど、大きなポイント数のフォントを用いて表示される。
【０１１８】
図５に戻って、端末装置Ｔ１から送信されてきたシリアル番号データ、送信要求情報及び証明書データを受信した著作物サーバＣＳＶは、当該送信されて来た証明書データにより端末装置Ｔ１を操作するユーザが会員情報サーバＭＳＶにより認証されたユーザであると確認すると共に、当該送信されて来たシリアル番号データにより示されるシリアル番号を有する刊行物の内容に相当する著作物データ２０３を刊行物データ２００内から抽出し、当該抽出した著作物データ２０３を、上記シリアル番号データ等を送信してきた端末装置Ｔ１に送信する（ステップＳ１６、Ｓ１７）。
【０１１９】
そして、当該著作物データ２０３を受信した端末装置Ｔ１は、当該受信した著作物データ２０３をその表示部３２において表示する（ステップＳ９）。
【０１２０】
ここで、当該ステップＳ９の処理に用いられる著作物データ２０３の表示画面例について、具体的に図６（ｂ）を用いて説明する。
【０１２１】
図６（ｂ）に例示するように、著作物サーバＣＳＶから送信されてきた著作物データ２０３を表示する場合の表示画面ＢＭＳとしては、例えば、画像表示欄７０と、ジャンル入力欄７２と、ブックマークボタン７１と、が少なくとも含まれている。
【０１２２】
この構成において、画像表示欄７０は、当該著作物データ２０３に相当する画像が表示される欄である。また、ジャンル入力欄７２は、当該画像が表示されている著作物データ２０３（及び当該著作物データ２０３を示すブックマークデータ４０５）が属すべきジャンルをユーザが指定する際に用いられる欄である。更に、ブックマークボタン７１は、その時点で画像表示欄７０に表示されている内容に相当する著作物データ２０３の所在ＵＲＬ等をブックマークデータ４０５としてブックマークデータベースＢＭＤＢ内に蓄積する際に操作されるボタンである。
【０１２３】
そして、当該著作物データ２０３の内容を表示している（図５ステップＳ９参照）際にブックマークボタン７１が操作されると、当該内容に相当する著作物データ２０３の所在ＵＲＬ等をブックマークデータ４０５としてブックマークデータベースＢＭＤＢ内に蓄積することを要求する旨の保存要求情報が、当該端末装置Ｔ１から刊行物管理サーバＲＳＶに出力される（ステップＳ１０）。なお、当該保存要求情報には、当該所在ＵＲＬ等の他、上記ジャンル入力欄７２を用いて入力された（当該所在ＵＲＬ等に対応する著作物データ２０３が属すべき）ジャンルを示すジャンルデータが含まれている。
【０１２４】
これにより、当該保存要求情報を受信した刊行物管理サーバＲＳＶにおいては、当該保存要求情報により示される著作物データ２０３の所在ＵＲＬ等を、著作物サーバＣＳＶ（及びネットワークＮＴ又は図示しない直接回線）を介して著作物データベースＣＤＢから取得し、その取得した所在ＵＲＬ等を上記ブックマークデータ４０５としてブックマークデータベースＢＭＤＢ内の対応するブックマーク管理データ４００内にジャンル毎に蓄積する。このとき、当該ブックマークデータ４０５は、対応する著作物データ２０３に相当する内容が含まれていたシリアル番号の刊行物に対応し且つ上記ユーザを示すユーザＩＤデータ４０４を含むブックマーク管理データ４００内に追加して各ジャンル毎に蓄積されることとなる。
【０１２５】
そして、当該新たなブックマークデータ４０５の蓄積が完了したならば、上記保存要求情報に含まれていたジャンルデータを（ネットワークＮＴ又は図示しない直接回線を介して）会員情報サーバＭＳＶに転送する。これにより、会員情報サーバＭＳＶは、会員情報データベースＭＤＢ内の当該ユーザに対応する会員データ４００におけるジャンル別ブックマーク数データ１１３のうち、新たに蓄積したブックマークデータ４０５が属するジャンル（上記ジャンルデータにより示されているジャンル）に対応するジャンル別ブックマーク数データ１１３を、当該新たに蓄積したブックマークデータ４０５の数だけインクリメントする（ステップＳ１５）。
【０１２６】
以上説明したステップＳ１乃至Ｓ１６の処理が夫々端末装置Ｔ１、刊行物管理サーバＲＳＶ及び著作物サーバＣＳＶにおいて実行されることにより、ログインしたユーザが所望する著作物データ２０３の所在ＵＲＬ等が、ブックマークデータ４０５として新たにブックマークデータベースＢＭＤＢ内に蓄積される。
【０１２７】
次に、上述したジャンル表示欄６４（図６（ａ）参照）を表示する際に実行される上記ジャンル表示欄表示処理について、図７を用いて説明する。
【０１２８】
当該ジャンル表示欄表示処理は、上述したように端末装置Ｔ１においてマイページＳＩＮの表示に際して割り込み処理的に実行される処理であり、具体的には、図７に示すように、ジャンル表示欄６４に表示される各ジャンル毎にその時点でのブックマーク数を、そのユーザに対応する会員データ１００内のジャンル別ブックマーク数データ１１３から取得し（ステップＳ８０）、その取得した各ジャンル夫々のブックマーク数に基づいて各ジャンル毎の表示フォントのポイント数を設定する（ステップＳ８１、Ｓ８２；ＮＯ）。このステップＳ８１の処理においては、例えば、ブックマーク数における予め設定された範囲毎にポイント数の異なるフォントを割り当てるものとし、ブックマーク数が多いほど大きいフォントを用いることとする。そして、ジャンル表示欄６４に表示すべき全てのジャンルについてフォントのポイント数の設定が完了した場合には（ステップＳ８２；ＹＥＳ）、その設定されたポイント数のフォントを用いて対応するジャンルをジャンル表示欄６４内に表示して（ステップＳ８３）、ジャンル表示欄表示処理を完了する。
【０１２９】
なお、当該ジャンル表示処理については、上述した処理の他、例えば、ブックマーク数がゼロのジャンルを表示しないこととしてもよいし、或いは、表示に用いるフォントのポイント数ではなく、当該フォントの表示色を変化させることとしてもよく、この場合は、それに属するブックマークデータ４０５の数が多いジャンルの表示色ほど、目立つ表示色を用いればよい。具体的には、例えば、ジャンルに属するブックマークデータ４０５の数を四段階に分類するとして、属するブックマークデータ４０５の数が多いジャンルから順に、
赤色の表示色→ピンク色の表示色→黄色の表示色→青色の表示色
とすることが例として挙げられる。
【０１３０】
（II）ユーザ自身によるブックマーク閲覧処理
次に、上述したブックマーク登録処理によりブックマークデータ４０５を蓄積させたユーザが、後の時点で当該登録した自己のブックマークデータ４０５に係る著作物データ２０３を閲覧する本サービスの一部である閲覧処理の実施例について、具体的に図８乃至図１０を用いて説明する。なお、図８は当該閲覧処理の全体を示すフローチャートであり、図９は当該閲覧処理に係る表示画面の構成を例示する図であり、図１０は当該閲覧処理の結果として端末装置Ｔ１において表示される画面例を示す図である。また、図８に示すフローチャートにおいて、図５に示すフローチャートと同様の処理については同様のステップ番号を付して細部の説明は省略する。
【０１３１】
実施例に係る著作物データ２０３の閲覧処理においては、初めに、上述したブックマーク登録処理におけるトップページ要求処理、ログイン処理及びマイページの表示処理と同様の処理により、当該ブックマークデータ４０５を蓄積したユーザが当該トップページ要求処理及びログイン処理を実行し（ステップＳ１乃至Ｓ６）、これに対応して刊行物管理サーバＲＳＶから送信されてくるマイページ情報を用いたマイページの表示処理を端末装置Ｔ１において実行する（ステップＳ７、Ｓ１１乃至Ｓ１４）。
【０１３２】
そして、当該マイページが表示されている端末装置Ｔ１において、それに含まれる著作物データ２０３の閲覧を所望している刊行物を一冊選択し、自らが蓄積させたブックマークデータ４０５の送信を要求する旨の操作を行う。これにより、当該操作に対応するブックマーク送信要求情報が、上記選択された刊行物を特定するための刊行物特定データ（例えば、上記ＩＳＢＮデータ）と共に刊行物管理サーバＲＳＶに送信される（ステップＳ２０）。なおこのとき、端末装置Ｔ１を操作するユーザがログイン処理済みであることを示すデータとして、取得済（図５ステップＳ６参照）の上記証明書データも、併せて上記ブックマーク送信要求等と共に刊行物管理サーバＲＳＶに送信される。
【０１３３】
次に、当該ブックマーク送信要求情報を刊行物特定データ及び証明書データと共に受信した刊行物管理サーバＲＳＶは、当該送信されて来た証明書データにより端末装置Ｔ１を操作するユーザが認証済のユーザであると確認すると共に、当該受信した刊行物特定データ及び当該ユーザのユーザＩＤを手掛かりとしてブックマークデータベースＢＭＤＢ内を検索し、対応するブックマーク管理データ４００内からそれに含まれるブックマークデータ４０５を抽出し、当該抽出したブックマークデータ４０５を、上記ブックマーク送信要求情報等を送信してきた端末装置Ｔ１に送信する（ステップＳ２５）。
【０１３４】
これにより、当該ブックマークデータ４０５の送信を受けた端末装置Ｔ１では、当該送信されてきたブックマークデータ４０５の内容（上記所在ＵＲＬ等）をその表示部３２上に表示する（ステップＳ２１）。
【０１３５】
ここで、当該ブックマークデータ４０５の内容表示用に形成される内容表示画面の構成について、具体的に図９に例示しつつ説明する。
【０１３６】
図９に例示するように、上記内容表示画面ＯＰの構成例としては、例えば、図９に示す如き内容表示画面ＯＰがある。この内容表示画面ＯＰには、その内容表示画面ＯＰ内に表示されているブックマークデータ４０５を蓄積させたユーザを示す上記写真表示欄６２及びプロフィール表示欄６３と、当該ユーザに対応する上記ジャンル表示欄６４と、に加えて、上記ステップＳ２０において端末装置Ｔ１のユーザにより選択された刊行物にそのユーザにより蓄積されたブックマークデータ４０５の内容を含むブックマークデータ表示欄９０が含まれている。そして、当該ブックマークデータ表示欄９０には、当該選択された刊行物の表紙が表示される表紙表示欄９１と、その刊行物について当該ユーザが蓄積させたブックマークデータ４０５に係る上記概要データ又は文字データが各ブックマークデータ４０５毎に夫々表示される内容表示欄９２と、当該選択された刊行物を購入した他のユーザのブックマークデータ４０５の閲覧を要求するための、他のユーザのブックマーク表示要求ボタン９３と、が少なくとも含まれている。
【０１３７】
そして、その表示されている一又は複数のブックマークデータ４０５の内容の中から、それに対応する著作物データ２０３の閲覧を所望するブックマークデータ４０５（例えば、図９において「今やミニバンが旬！」と例示されているブックマークデータ４０５）が選択されて上記ブックマーク内容表示ボタン９３が操作されると、当該選択されたブックマークデータ４０５に対応する著作物データ２０３の送信を要求する旨の著作物データ送信要求情報を、上記所在ＵＲＬ等及び上記取得済の証明書データと共に著作物サーバＣＳＶに送信する（ステップＳ２２）。
【０１３８】
これにより、当該著作物データ送信要求情報等を受信した（ステップＳ２６）著作物サーバＣＳＶは、当該送信されて来た証明書データにより端末装置Ｔ１を操作するユーザが認証済のユーザであると確認すると共に、その著作物データ送信要求情報により送信が要求されている著作物データ２０３を、著作物データ送信要求情報と共に送信されてきた所在ＵＲＬ等に含まれているＩＳＢＮを手掛かりとして当該著作物データベースＣＤＢ内において検索・抽出し、当該抽出した著作物データ２０３を、上記著作物データ送信要求情報等を送信してきた端末装置Ｔ１に送信する（ステップＳ１６）。
【０１３９】
そして、当該著作物データ２０３の送信を受けた端末装置Ｔ１においては、当該受信した著作物データ２０３の内容である画像等をその表示部３２上に表示し（ステップＳ２３）、実施例に係る閲覧処理を終了する。
【０１４０】
ここで、当該ステップＳ２３の処理により表示部３２上に表示される画面としては、例えば図１０に例示する表示画面ＤＴのように、上記写真表示欄６２、プロフィール表示欄６３及びジャンル表示欄６４に加えて、著作物データ２０３自体の内容を表示する内容表示欄７０及び当該内容が表示されている著作物データ２０３が属するジャンルを表示するデータジャンル表示欄７２が少なくとも含まれている。なおこのとき、当該ジャンル表示欄６４の表示に際して図７を用いて説明したジャンル表示欄表示処理が実行されていることは言うまでもない。
【０１４１】
以上説明したブックマーク閲覧処理により、ユーザが自ら蓄積させたブックマークデータ４０５に係る著作物データ２０３の内容を、後から自由に閲覧することができるのである。
【０１４２】
なお、上述してきたブックマーク登録処理及びブックマーク閲覧処理が可能となることにより、ブックマークデータ４０５の蓄積が一通り終了した刊行物については、当該ユーザがそれ以降所持し続ける必要がないこととなる。よって、この結果として当該ユーザが引き続き所持する必要がある刊行物自体の数を大幅に低減させつつ、過去に必要と思われたその刊行物の内容をいつでも自由に閲覧することができることとなる。
【０１４３】
（III）同一刊行物の所持者によるブックマーク閲覧処理
次に、上述したブックマーク登録処理により蓄積されているブックマークデータ４０５に係る著作物データ２０３の内容を、当該著作物データ２０３に相当する内容が含まれている刊行物を所持している他のユーザが閲覧する本サービスの一部である閲覧処理の実施例について、具体的に図１１乃至図１５を用いて説明する。なお、図１１は当該閲覧処理を示すフローチャートであり、図１２及び図１３は当該閲覧処理中に端末装置Ｔにおいて表示される画面例を示す図であり、図１４は当該閲覧処理において表示される著作物データの表示画面の構成を例示する図であり、図１５は当該閲覧処理の変形形態を示すフローチャートである。また、図１１及び図１５に示すフローチャートにおいて、図５又は図８に示すフローチャートと同様の処理については同様のステップ番号を付して細部の説明は省略する。
【０１４４】
同一刊行物購入者による著作物データ２０３の閲覧処理においては、初めに、当該他のユーザが操作する端末装置Ｔ（以下、当該操作される端末装置を端末装置Ｔ２とする）において、上述したブックマーク登録処理におけるトップページ要求処理、ログイン処理及びマイページの表示処理と同様の処理により、当該他のユーザ（以下、当該他のユーザを「端末装置Ｔ２のユーザ」と称する）が当該トップページ要求処理及びログイン処理を実行し（ステップＳ１乃至Ｓ６）、当該端末装置Ｔ２のユーザの指示に対応して刊行物管理サーバＲＳＶから送信されてくるマイページ情報を用いたマイページ（端末装置Ｔ２のユーザのマイページ）の表示処理をその端末装置Ｔ２において実行する（ステップＳ７、Ｓ１１乃至Ｓ１４）。
【０１４５】
次に、当該端末装置Ｔ２のユーザは、表示されている自身のマイページ上において、自分自身が購入した一冊以上の刊行物のうち、他購入者（端末装置Ｔ２のユーザ以外の他の購入者）が蓄積したブックマークデータ４０５の閲覧を所望する刊行物を一冊選択する（ステップＳ３０）。
【０１４６】
より具体的には、自身のマイページが表示されている端末装置Ｔ２において、自分自身が購入した一冊以上の刊行物の中から所望する一冊を選択すると、例えば、図９に示されるような画面（自身のマイページで、自身が購入した刊行物とブックマークとか表示されている画面）が表示されるので、ユーザは、図９に示した他のユーザのブックマーク表示要求ボタン９３を選択することで、当該選択された刊行物を購入した他のユーザのブックマークデータ４０５の閲覧を要求する。
【０１４７】
これにより、当該閲覧を所望する旨の閲覧要求情報と共に、刊行物を特定する上記刊行物特定データが端末装置Ｔ２から刊行物サーバＲＳＶに送信される。
【０１４８】
次に、当該閲覧要求情報及び刊行物特定データを受信した刊行物サーバＲＳＶは、当該受信した刊行物特定データにより特定される刊行物を刊行物管理データベースＢＤＢ内において検索する。そして、同一の刊行物を購入した購入者を、購入ユーザＩＤデータ３０７を手掛かりに更に検索する。これにより、当該検索された購入者、すなわち、端末装置Ｔ２のユーザが指定した（ステップＳ３０参照）刊行物を購入した他の購入者を含む検索結果を、元の端末装置Ｔ２に送信する（ステップＳ３３）。
【０１４９】
そして、当該検索結果を受信した端末装置Ｔ２においては、その検索結果（他購入者一覧）を表示部３２において表示する。これにより、端末装置Ｔ２のユーザは、その表示されている一覧から、ブックマークデータ４０５の閲覧を所望する他購入者を選択する（ステップＳ３１）。
【０１５０】
ここで、上記ステップＳ３１の処理において端末装置Ｔ２の表示部３２に表示される一覧画面としては、例えば図１２に示す如き一覧画面Ｌがある。この一覧画面Ｌには、端末装置Ｔ２のユーザが指定した刊行物を購入した他の購入者夫々を個別に示す写真表示欄６２及びプロフィール表示欄６３が含まれている。そして、当該端末装置Ｔ２のユーザは、一覧画面Ｌに一覧表示されている他購入者の中からいずれかの他購入者を選択する。
【０１５１】
次に、その選択した他購入者が蓄積させたブックマークデータ４０５の送信を要求する旨の操作を端末装置Ｔ２のユーザが実行することで、当該操作に対応するブックマーク送信要求情報が、当該選択された他購入者を示すユーザＩＤと共に行物管理サーバＲＳＶに送信される（ステップＳ３２）。
【０１５２】
次に、当該ブックマーク送信要求情報を対応するユーザＩＤと共に受信した刊行物管理サーバＲＳＶは、上記ステップＳ３３の検索処理において使用した刊行物特定データ及び当該受信したユーザＩＤを手掛かりにしてブックマークデータベースＢＭＤＢ内を検索し、その刊行物特定データ及びそのユーザＩＤに相当するユーザＩＤデータ４０４を共に含むブックマーク管理データ４００を抽出し、更にその抽出したブックマーク管理データ４００内からそれに含まれるブックマークデータ４０５を全て抽出し、当該抽出したブックマークデータ４０５を、上記ブックマーク送信要求情報を送信してきた端末装置Ｔ２に送信する（ステップＳ３４）。
【０１５３】
これにより、当該ブックマークデータ４０５の送信を受けた端末装置Ｔ２では、図８を用いて説明したものと同様の表示処理（ステップＳ２１）、著作物データ送信要求情報送信処理（ステップＳ２２）及び著作物データ２０３の内容表示処理（ステップＳ２３）を当該端末装置Ｔ２として夫々順次実行し、これに対応して著作物サーバＣＳＶにおいても、図８を用いて説明したものと同様の著作物データ送信要求情報受信処理（ステップＳ２６）及び著作物データ送信処理（ステップＳ１６）を夫々順次実行する。
【０１５４】
ここで、上記ステップＳ２１の処理において端末装置Ｔ２の表示部３２に表示されるブックマークデータ４０５の表示画面としては、例えば図１３に示す如き表示画面ＢＧがある。この表示画面ＢＧには、上記ステップＳ３１の処理において選択された他購入者（表示画面ＢＧの場合は「ｋａｗａ」さん）を示す上記写真表示欄６２及びプロフィール表示欄６３と、当該他購入者に対応する上記ジャンル表示欄６４と、に加えて、上記ステップＳ３０において端末装置Ｔ２のユーザにより指定された刊行物について当該他購入者により蓄積されたブックマークデータ４０５の内容を含むブックマークデータ表示欄９０が含まれている。そして、当該ブックマークデータ表示欄９０には、当該指定された刊行物の表紙が表示される表紙表示欄９１と、その刊行物について当該他購入者が蓄積させたブックマークデータ４０５に係る上記概要データ又は文字データが各ブックマークデータ４０５毎に夫々表示される内容表示欄９２と、当該選択された刊行物を購入した他のユーザのブックマークデータ４０５の閲覧を要求するための、他のユーザのブックマーク表示要求ボタン９３と、が少なくとも含まれている。
【０１５５】
なお、図１３に例示する表示画面ＢＧが表示されているときに、例えば内容表示欄９２のいずれかが選択されると、図８を用いて説明したステップＳ２２、Ｓ２６、Ｓ２３及びＳ１６の処理が実行され、図１４に例示する如き表示画面ＤＴ（すなわち、ステップＳ３１の処理において選択された他購入者が蓄積させたブックマークデータ４０５によりその内容が示されている著作物データ２０３の内容を表示する表示画面ＤＴ。図１０参照）が表示される。
【０１５６】
以上説明した端末装置Ｔ２のユーザによるブックマーク閲覧処理により、ある刊行物を購入しているユーザが、同一の刊行物を購入した自身以外の他のユーザが蓄積させたブックマークデータ４０５に係る著作物データ２０３の内容を、後から閲覧することができる。よって、ある一人のユーザが蓄積させたブックマークデータ４０５に係る著作物データ２０３を、同一の刊行物を購入した者の間で簡易に共有することができることとなる。
【０１５７】
なお、上述した閲覧処理においては、同一の刊行物を購入した他購入者を端末装置Ｔ２のユーザが一覧から選択する場合について説明したが、当該端末装置Ｔ２のユーザがログインした段階で同一の刊行物を購入した他購入者を認識している場合には、図１５に示すように、端末装置Ｔ２のユーザのマイページが表示され（ステップＳ７）、更に当該表示されているマイページを用いた刊行物の選択が実行された（ステップＳ３０。但し、この段階では刊行物特定データは送信されない）後に、当該認識している他購入者名を入力する（ステップＳ３５）。そして、その入力した他購入者が蓄積させたブックマークデータ４０５の送信を要求する旨の操作を端末装置Ｔ２のユーザが実行することで、当該操作に対応するブックマーク送信要求情報が、入力された（ステップＳ３０参照）刊行物特定データ及び当該選択された（ステップＳ３５参照）他購入者を示すユーザＩＤと共に刊行物管理サーバＲＳＶに送信される（ステップＳ３６）。
【０１５８】
これにより、対応するユーザＩＤ及び刊行物特定データと共に当該ブックマーク送信要求情報を受信した刊行物管理サーバＲＳＶは、当該受信した刊行物特定データ及びユーザＩＤを手掛かりにしてブックマークデータベースＢＭＤＢ内を検索し、そのユーザＩＤに相当するユーザＩＤデータ４０４を共に含むブックマーク管理データ４００を抽出し、更にその抽出したブックマーク管理データ４００内からそれに含まれるブックマークデータ４０５を全て抽出し、当該抽出したブックマークデータ４０５を、上記ブックマーク送信要求情報を送信してきた端末装置Ｔ２に送信する（ステップＳ３４）。
【０１５９】
以上の図１５に示す閲覧処理によっても、図１１を用いて説明した閲覧処理と同様の作用効果を奏することができる。
【０１６０】
なお、上述した同一刊行物の所持者によるブックマーク閲覧処理では、同一刊行物の所持者であれば他のユーザのブックマークを閲覧することができるものとして記載したが、これ以外に、同一刊行物の所持者であっても、閲覧するユーザが、閲覧しようとするユーザと上記友達リスト登録の関係にないとそのブックマークを閲覧できないものとしてもよい。そして、この二つの形態は、各ユーザが設定していずれかを選択できるようにしてもよいし、或いはデフォルト（初期状態）としていずれかに限定されていてもよい。
【０１６１】
（IV）友達リスト登録者によるブックマーク閲覧処理
次に、上述したブックマーク登録処理により蓄積されているブックマークデータ４０５に係る著作物データ２０３の内容を、当該登録処理を実行したユーザ（例えば、端末装置Ｔ１のユーザ）が登録されている上記友達リスト（図２（ｃ）符号１１２参照）内に登録されている他のユーザ（例えば、端末装置Ｔ３のユーザ）が閲覧する本サービスの一部である閲覧処理の実施例について、具体的に図１６乃至図１８を用いて説明する。なお、図１６は当該閲覧処理の全体を示すフローチャートであり、図１７及び図１８は当該閲覧処理中に端末装置Ｔにおいて表示される画面例を示す図である。また、図１６に示すフローチャートにおいて、図５、図８又は図１１に示すフローチャートと同様の処理については同様のステップ番号を付して細部の説明は省略する。
【０１６２】
友達リストに登録されている他のユーザによる著作物データ２０３の閲覧処理においては、初めに、当該他のユーザが操作する端末装置Ｔ（以下、当該操作される端末装置を端末装置Ｔ３とし、当該他のユーザを「端末装置Ｔ３のユーザ」とする）において、上述したブックマーク登録処理におけるトップページ要求処理、ログイン処理及びマイページの表示処理と同様の処理により、当該端末装置Ｔ３のユーザが当該トップページ要求処理及びログイン処理を実行し（ステップＳ１乃至Ｓ６）、これに対応して刊行物管理サーバＲＳＶから送信されてくる（当該端末装置Ｔ３のユーザの）マイページ情報を用いたマイページの表示処理をその端末装置Ｔ３において実行する（ステップＳ７、Ｓ１１乃至Ｓ１４）。
【０１６３】
次に、当該端末装置Ｔ３において、そのユーザが登録されている友達リストの内容を要求する操作が実行されると、当該操作に対応する友達リスト要求情報が当該端末装置Ｔ３のユーザを示すユーザＩＤと共に端末装置Ｔ３から会員情報サーバＭＳＶに送信される（ステップＳ４０）。
【０１６４】
そして、当該友達リスト要求情報を受信した会員情報サーバＭＳＶは、当該友達リスト要求情報に含まれているユーザＩＤに相当するユーザＩＤデータ１０１を含む会員データ１００を会員情報データベースＭＤＢ内で検索し、更にその検索した会員データ１００に含まれている友達リスト情報１１２の内容（すなわち、端末装置Ｔ３のユーザが登録されている友達リスト内の他の登録ユーザを含むリスト情報）を端末装置Ｔ３に送信する（ステップＳ４７）。
【０１６５】
次に、当該友達リスト１１２の内容を受信した（ステップＳ４１）端末装置Ｔ３においては、その受信した友達リストの内容をその表示部３２において表示する。そして、当該表示されている友達リストの中から、「友達」として登録されている他の登録者（すなわち、その者の蓄積に係るブックマークデータ４０５に係る著作物データ２０３の内容の閲覧を端末装置Ｔ３のユーザが希望する他の登録者）を選択し、更に当該選択した他の登録者が購入している刊行物についての情報を要求する刊行物要求情報を、当該他の登録者を示すユーザＩＤと共に刊行物管理サーバＲＳＶに送信する（ステップＳ４２）。
【０１６６】
そして、当該刊行物要求情報を受信した刊行物管理サーバＲＳＶは、当該刊行物要求情報と共に送信されて来たユーザＩＤ（すなわち、選択された友達のユーザＩＤ）に相当する購入ユーザＩＤデータ３０７を含む刊行物管理データ３００を刊行物管理データベースＢＤＢ内において一又は複数検索し、当該検索された刊行物管理データ３００に対応する表紙データ２０２（すなわち、選択された友達が購入し、ブックマークデータ４０５を蓄積させた刊行物の表紙に相当する表紙データ２０２）をＩＳＢＮデータ３０１及び２０１を介して刊行物データ２００から抽出し、端末装置Ｔ３に送信する（ステップＳ４８）。これに加えて、刊行物管理サーバＲＳＶは、検索された購入ユーザＩＤデータ３０７と対を為すシリアル番号データ３０６（すなわち、上述したステップＳ４２で選択された、「友達」として登録されている他の登録者に対応するシリアル番号データ３０６）を、同じく端末装置Ｔ３に送信する（ステップＳ４８）。
【０１６７】
次に、当該表紙データ２０２及びシリアル番号データ３０６を受信した端末装置Ｔ３は、当該受信した表紙データ２０２に相当する画像を含む刊行物の一覧表示画面を、その表示部３２において表示する（ステップＳ４３）。
【０１６８】
ここで、上記ステップＳ４３の処理において端末装置Ｔ３の表示部３２に表示される刊行物の一覧表示画面としては、例えば図１７に示す如き一覧表示画面Ｆがある。この一覧表示画面Ｆには、上記ステップＳ４２の処理において選択された他の登録者（一覧表示画面ＢＧの場合は「ｋｏｎｎｎ」さん）を示す上記写真表示欄６２及びプロフィール表示欄６３と、当該他の登録者に対応する上記ジャンル表示欄６４と、に加えて、上記ステップＳ４３の処理として端末装置Ｔ３において受信された表紙データ２０２に相当する表紙が表示される表紙表示欄１０１と、その刊行物を端末装置Ｔ３を操作するユーザが購入することを所望する際に操作される購入ボタン１０２と、が各刊行物毎に含まれている。
【０１６９】
次に、端末装置Ｔ３を操作するユーザは、現在表示されている刊行物の中から一又は複数の刊行物（すなわち、当該刊行物を購入した他の登録者（図１７に示す場合は「Ｋｏｎｎｎ」さん）が蓄積させたブックマークデータ４０５に対応する著作物データ２０３の閲覧を所望する刊行物）を、例えばそれに対応する表紙表示欄１０１をクリックすることと等により選択する（ステップＳ４４）。
【０１７０】
そして、図１７に例示する一覧表示画面Ｆを用いていずれかの刊行物が選択操作されると、その選択された刊行物に対応するＩＳＢＮを示すＩＳＢＮデータが刊行物管理サーバＲＳＶに送信され、これにより、刊行物管理データベースＢＤＢ内の刊行物管理データ３００の購入者データ３０５を手掛かりとして当該端末装置Ｔ３のユーザがその刊行物を購入済であるか否かが確認される（ステップＳ４５、Ｓ４９）。これにより、当該端末装置Ｔ３のユーザがその刊行物を購入済でないときは（ステップＳ４５；ＮＯ、Ｓ４９；ＮＯ）、非購入者に対して著作物データ２０３を閲覧させることは好ましくないため別途の購入処理を当該端末装置Ｔ３及び刊行物管理サーバＲＳＶにおいて実行し（ステップＳ４６、Ｓ５０）、実施例に係る閲覧処理を終了する。
【０１７１】
ここで、当該購入処理（ステップＳ４６、Ｓ５０）として具体的には、例えば、当該購入用画面を端末装置Ｔ３に送信し、その購入用画面を用いて入力／送信されて来た購入情報（購入者のユーザＩＤ及びクレジットカード番号等を含む）を用いて必要な購入処理を行う。これに加えて、当該購入確認後においては、当該購入された刊行物のシリアル番号及び購入者を示すユーザＩＤを用いて、刊行物管理データ３００内に新たな購入者データ３０５として蓄積すると共に、新たなブックマーク管理データ４００（ＩＳＢＮデータ４０１、表紙データＵＲＬデータ４０２、シリアル番号データ４０３及びユーザＩＤデータ４０４のみを含むブックマーク管理データ４００）をブックマークデータベースＢＭＤＢ内に蓄積する。
【０１７２】
なお、図１６に示す実施例においては、ステップＳ４６の購入処理後はそのままブックマーク閲覧処理が終了することとしているが、これに限らず、例えば、ステップＳ４６の購入処理を行った場合には、購入完了を示すデータをトリガとしてブックマークデータ４０５を端末装置Ｔ３を操作するユーザに提供するようにしてもよい。
【０１７３】
一方、ステップＳ４５（及びＳ４９）の判定において、端末装置Ｔ３を操作するユーザがその刊行物を購入済であるときは（ステップＳ４５；ＹＥＳ、Ｓ４９；ＹＥＳ）、次に、ステップＳ４４の処理において選択した刊行物についてステップＳ４２の処理において選択した他登録者が蓄積させたブックマークデータ４０５の送信を要求する旨の操作を当該端末装置Ｔ３を操作するユーザが実行することで、当該操作に対応するブックマーク送信要求情報が、上記ステップＳ４８の処理において送信されていたその刊行物に対応するシリアル番号データ３０６（すなわち、上述したステップＳ４２で選択された、「友達」として登録されている他の登録者に対応するシリアル番号データ３０６）と共に刊行物管理サーバＲＳＶ及び会員情報サーバＭＳＶに送信される（ステップＳ３２）。
【０１７４】
次に、当該ブックマーク送信要求情報を対応するシリアル番号データ３０６（すなわち、上述したステップＳ４２で選択された、「友達」として登録されている他の登録者に対応するシリアル番号データ３０６）と共に受信した刊行物管理サーバＲＳＶは、当該受信したシリアル番号データ３０６を手掛かりにしてブックマークデータベースＢＭＤＢ内を検索し、そのシリアル番号に相当するシリアル番号データ４０３を含むブックマーク管理データ４００を抽出し、更にその抽出したブックマーク管理データ４００内からそれに含まれるブックマークデータ４０５（すなわち、シリアル番号データ３０６に対応する本に含まれている記事等に相当する著作物データ２０３に対応し、且つその友達が蓄積させたブックマークデータ４０５）を全て抽出し、当該抽出したブックマークデータ４０５を、上記ブックマーク送信要求情報を送信してきた端末装置Ｔ３に送信する（ステップＳ３４）。
【０１７５】
これにより、当該ブックマークデータ４０５の送信を受けた端末装置Ｔ３では、図８を用いて説明したものと同様の表示処理（ステップＳ２１）、著作物データ送信要求情報送信処理（ステップＳ２２）及び著作物データ２０３の内容表示処理（ステップＳ２３）を当該端末装置Ｔ３として夫々順次実行し、これに対応して著作物サーバＣＳＶにおいても、図８を用いて説明したものと同様の著作物データ送信要求情報受信処理（ステップＳ２６）及び著作物データ送信処理（ステップＳ１６）を夫々順次実行する。
【０１７６】
ここで、上記ステップＳ２１の処理において表示部３２に表示されるブックマークデータマークデータ４０５の内容の表示画面の構成について、具体的に図１８に例示しつつ説明する。
【０１７７】
図１８に例示するように、上記ブックマークデータ４０５の内容自体として端末装置Ｔ３に表示されるブックマーク画面ＦＢの構成例としては、例えば、そのブックマーク画面ＦＢ内に内容が表示されているブックマークデータ４０５を蓄積させた他登録者（すなわち、上記ステップＳ４２の処理により選択された友達リストの他登録者）を示す上記写真表示欄６２及びプロフィール表示欄６３と、当該他登録者に対応する上記ジャンル表示欄６４と、に加えて、上記ステップＳ４４の処理において選択された刊行物毎に、その刊行物の表紙が表示される表紙表示欄１１１と、その刊行物について当該他登録者が蓄積させたブックマークデータ４０５に係る上記概要データ又は文字データが夫々表示される内容表示欄１１２と、が少なくとも含まれている。なお、図１８に例示するブックマーク画面ＦＢ内の内容表示欄１１２のいずれかが選択された場合、当該選択されたブックマークデータ４０５に対応する（上記図１０に例示した如き）表示画面ＤＴ（すなわち、「konnn」さんに対応する表示画面ＤＴ）が表示されることとなる。
【０１７８】
以上説明した友達リスト登録者によるブックマーク閲覧処理により、ある刊行物を購入している友達リスト登録者が、自身が登録している友達リスト内の他の登録者が蓄積させたブックマークデータ４０５に係る著作物データ２０３の内容を、後から閲覧することができる。よって、ある一人のユーザが蓄積させたブックマークデータ４０５に係る著作物データ２０３を、そのユーザを含む友達リストの登録者の間で簡易に共有することができることとなる。
【０１７９】
なお、上述した（III）同一刊行物の所持者によるブックマーク閲覧処理では、同一刊行物の所持者であれば他のユーザのブックマークを閲覧することができるものとして記載したが、（IV）友達リスト登録者によるブックマーク閲覧処理では、同一刊行物の所持者であっても、閲覧するユーザが、閲覧しようとするユーザと上記友達リスト登録の関係にないと閲覧できないものとして記載している。そして、この二つの形態は、各ユーザが設定していずれかを選択できるようにしてもよいし、或いはデフォルトとしていずれかに限定されていてもよい。
【０１８０】
（Ｖ）不特定第三者によるブックマーク閲覧処理
次に、上述したブックマーク登録処理により蓄積されているブックマークデータ４０５自体に対応する内容（すなわち、上記所在ＵＲＬ等から所在ＵＲＬ自体を除いた上記概要データ、上記文字データ、及び上記ＩＳＢＮを含み、これに加えて、その刊行物の表紙に相当する画像データを含む。以下、これらを纏めて「一般公開データ」と称する）を、不特定の第三者（すなわち、端末装置Ｔ２を操作する上記同一刊行物の購入者又は端末装置Ｔ３を操作する友達リストの他登録者以外の不特定の第三者）が閲覧する本サービスの一部である閲覧処理の実施例について、具体的に図１９及び図２０を用いて説明する。なお、図１９は当該閲覧処理を示すフローチャートであり、図２０は当該閲覧処理の結果として端末装置Ｔにおいて表示される画面例を示す図である。
【０１８１】
不特定第三者による上記一般公開データの閲覧処理として、刊行物管理サーバＲＳＶは、上記一般公開データを、各ユーザ毎且つ各刊行物且つ各ブックマークデータ４０５毎に、当該不特定第三者である閲覧者が操作する端末装置Ｔ（以下、当該操作される端末装置を端末装置Ｔ４とする）から閲覧可能にネットワークＮＴに対して例えばホームページ等の態様により掲示している（ステップＳ７０）。そして、当該端末装置Ｔ４を操作する閲覧者は、他のユーザに係るブックマークデータ４０５の閲覧を所望する操作を端末装置Ｔ４において実行することにより、当該閲覧者による閲覧要求情報（リクエスト）に応じる形態として上記一般公開データを含む公開画面として当該ブックマークデータ４０５の閲覧が可能となる（ステップＳ６０）。
【０１８２】
ここで、当該閲覧用に形成される上記公開画面の構成について、具体的に図２０に例示しつつ説明する。
【０１８３】
図２０に例示するように、上記一般公開データを閲覧する際に端末装置Ｔ４に表示される公開画面Ｗの構成例としては、例えば、その公開画面Ｗ内に表示されている一般公開データの基となったブックマークデータ４０５を蓄積させたユーザを示す上記写真表示欄６２及びプロフィール表示欄６３と、当該ユーザに対応する上記ジャンル表示欄６４と、に加えて、各刊行物毎に、その刊行物についてそのユーザにより蓄積されたブックマークデータ４０５に係る上記一般公開データが表示される一般公開データ表示欄８０が含まれている。
【０１８４】
そして、当該一般公開データ表示欄８０には、各刊行物毎に、その刊行物の表紙が表示される表紙表示欄８１と、その刊行物についてそのユーザが蓄積させたブックマークデータ４０５に係る上記概要データ又は文字データが夫々表示される内容表示欄８２と、その刊行物を購入することを所望する際に操作される購入ボタン８３と、が少なくとも含まれている。
【０１８５】
このとき、表紙表示欄８１と購入ボタン８３には、いわゆるアフィリエイトリンクを示すＵＲＬが埋め込まれて（紐付けされて）おり、端末装置Ｔ４を操作する閲覧者により選択され、更に購入操作が為されることで、対応するブックマークデータ４０５を蓄積させたユーザに報酬が付与される構成とされている。
【０１８６】
ここで、当該表紙表示欄８１に当該刊行物の表紙に相当する画像を表示するに当たっては、刊行物管理サーバＲＳＶは、ブックマーク管理データ４００に含まれているＩＳＢＮデータ４０１及び表紙データＵＲＬデータ４０２を参照し、対応する表紙データ２０２を著作物データベースＣＤＢ内から抽出／取得して表示する。
【０１８７】
次に、上記一般公開データを閲覧中において（ステップＳ６０）、当該閲覧者により閲覧されている刊行物のいずれかが表紙表示欄８１の選択操作等により選択されると（ステップＳ６１）、当該選択されたことを認識した刊行物管理サーバＲＳＶは、上述した購入ボタン８３にＵＲＬが埋め込まれているアフィリエイトリンクの情報に従って、その刊行物に係るブックマークデータ４０５を蓄積させたユーザ（換言すれば、選択された刊行物が表示されていた公開画面Ｗにおいて同時に表示されていたユーザ）を示す情報を含むいわゆるクッキー（Cookie）を生成し、当該生成されたクッキーを閲覧に供され端末装置Ｔ４に送信して（ステップＳ７１）記録（保存）させる（ステップＳ６２）。
【０１８８】
そして、当該クッキーが保存された端末装置Ｔ４において、購入ボタン８３が操作されることにより刊行物の購入が指示されたか否かを判定する（ステップＳ６３）。
【０１８９】
なお、本実施例に係るアフィリエイトシステムとしては、上記アフィリエイトを行ったユーザを示すユーザＩＤがクッキーに記録されているだけで、そのユーザが紹介している刊行物等であれば、上記ステップＳ６１の処理で選択された刊行物でなくとも報酬の対象となる。そして、他のユーザに対応するアフィリエイトリンクを、図１９の処理を実行させる閲覧者が選択した場合には、対応するクッキーが上書き（更新）されることになる。
【０１９０】
ステップＳ６３の判定において、当該閲覧者により購入操作が為されないときは（ステップＳ６３；ＮＯ）そのまま実施例に係る端末装置Ｔ４における処理を終了し、一方当該購入操作が為されたときは（ステップＳ６３；ＹＥＳ）、次に、ステップＳ６２においてその購入対象となった刊行物について保存されているクッキーが当該購入要求に対応する購入要求情報と共に刊行物管理サーバＲＳＶに送信されるので、刊行物管理サーバＲＳＶは、これを取得する（ステップＳ６４、Ｓ７２）。そして、当該刊行物管理サーバＲＳＶは、当該クッキーが返信されてきた旨を（例えばネットワークＮＴ又は図示しない直接回線を介して）会員情報サーバＭＳＶに転送し、これにより当該会員情報サーバＭＳＶにおいて予め設定されている特典ポイント数を示すポイント情報が当該クッキーに記述されているユーザについて加算・蓄積する等の処理が実行され、当該ユーザに対する報酬付与が行われる（ステップＳ７３）。
【０１９１】
その後は、端末装置Ｔ４と刊行物管理サーバＲＳＶとの間において、購入することが選択された（ステップＳ６３；ＹＥＳ）刊行物についての購入処理が実行され（ステップＳ６５、Ｓ７４）、実施例に係るブックマーク閲覧処理を完了する。
【０１９２】
以上説明した不特定第三者によるブックマーク閲覧処理により、あるユーザが蓄積させたブックマークデータ４０５を手掛かりとして不特定の第三者がその刊行物を購入することができると共にそのユーザに対しても当該第三者の購入に伴い報酬が付与されることとなり、結果的に刊行物の販売促進に繋げることができることとなる。
【０１９３】
なお、図１９の不特定第三者による刊行物の購入処理が完了した後（すなわち、上記ステップＳ６５、ステップＳ７４の処理の後）、購入が完了した旨を、シリアル番号データ３０６を用いない方法で各サーバ間で共有することにより、不特定第三者が閲覧中のユーザのブックマークの内容（購入した刊行物のブックマークの内容）を閲覧可能なようにしてもよい。
【０１９４】
すなわち、これらの処理の後に、上述した図１１のステップＳ３４及びＳ２１乃至Ｓ２３の処理が行われるような構成としてもよい。このようにすることで、あるユーザが蓄積させたブックマークデータ４０５を手掛かりとして不特定の第三者がその刊行物を購入した後に、さらにその不特定の第三者がその刊行物のブックマークデータ４０５の内容も閲覧することができる。
【０１９５】
（VI）不特定第三者による一般公開データ購入処理
最後に、上述したブックマーク登録処理により蓄積されているブックマークデータ４０５に係る一般公開データ自体を、不特定の第三者が購入する本サービスの一部である購入処理の実施例について、具体的に図２１及び図２２を用いて説明する。なお、図２１は当該購入処理を示すフローチャートであり、図２２は当該購入覧処理の結果として端末装置Ｔにおいて表示される画面例を示す図である。また、図２１に示すフローチャートにおいて、図１９に示すフローチャートと同様の処理については同様のステップ番号を付して細部の説明は省略する。
【０１９６】
不特定第三者による上記一般公開データの購入処理としては、初めに、図１９を用いて説明したものと類似の閲覧処理が端末装置Ｔ４及び刊行物管理サーバＲＳＶにおいて実行される（ステップＳ６０、Ｓ７０）。この時当該端末装置Ｔ４においては、予め上記一般公開データ自体の購入処理を行なう旨を含む閲覧要求を行なうことにより、図２２に例示する如き、上記図２０を用いて例示した公開画面Ｗの構成に加えて、当該一般公開データ自体の購入時に操作されるブックマーク購入ボタン８４を含む公開画面ＷＷが表示されている。
【０１９７】
そして、当該閲覧中において、閲覧者が当該閲覧対象となっている一般公開データそのもの（すなわち、例えば図２２に例示した公開画面ＷＷ内の一般公開データ表示欄８０に示されている表紙データや概要データ等自体）を購入するものとして、対応するブックマーク購入ボタン８４の操作を端末装置Ｔ４において実行し、更に当該購入に必要なユーザＩＤやクレジットカード番号等を購入情報として入力した場合には（ステップＳ８０）、当該購入情報を刊行物管理サーバＲＳＶにおいて受信する（ステップＳ８５）。
【０１９８】
その後、端末装置Ｔ４と刊行物管理サーバＲＳＶとの間において、購入することが選択された一般公開データについての購入処理が上記購入情報を用いて実行され（ステップＳ８１、Ｓ８６）、実施例に係るブックマーク購入処理を完了する。
【０１９９】
ここで、当該購入対象となった一般公開データ（ブックマークマークデータ４０５）は、それを購入したユーザ（当該閲覧者）のマイページに組み込まれるようになっていても良いし、更には、購入したユーザ（当該閲覧者）が、その購入対象となった一般公開データに対応する刊行物を購入することで、あたかも自身がブックマークしたような状態とすることも可能である。すなわち、端末装置Ｔ４を操作して上記一般公開データ自体を購入し更に当該一般公開データに対応する刊行物を購入した閲覧者が、上記端末装置Ｔ１のユーザの如く、当該購入したブックマークデータ４０５に対応する著作物データ２０３を閲覧することが可能となるように構成しても良い。
【０２００】
以上説明した不特定第三者によるブックマーク購入処理により、あるユーザが蓄積させたブックマークデータ４０５に係る一般公開データ自体を売買の対象とすることができ、これにより結果的に刊行物の販売促進に繋げることができることとなる。
【０２０１】
以上夫々説明したように、実施形態並びに実施例に係るネットワークシステムＳの動作によれば、端末装置Ｔ１を操作するユーザが所持している刊行物について当該ユーザが選択した著作物データ２０３を示すブックマークデータ４０５が刊行物管理データベースＢＤＢ内に蓄積され、そのユーザが当該蓄積されているブックマークデータ４０５を取得可能となるので（図５乃至図８参照）、当該ユーザが多数の刊行物を所持している場合でも、それらの刊行物の中で興味のある内容（著作物データ２０３）を、いつでも当該ブックマークデータ４０５を手掛かりに迅速且つ簡易に取得／閲覧することができる。
【０２０２】
従って、当該ユーザは、自身が選択した著作物データ２０３に相当する内容を含む刊行物自体を当該ユーザが所持し続ける必要がなく、自身が所持する刊行物を減少させつつ、必要な著作物データ２０３を迅速且つ簡易に閲覧することができる。
【０２０３】
また、購入ユーザＩＤデータ３０７とシリアル番号データ３０６とを関連付ける購入者データ３０５を蓄積し、ログイン処理を経て送信されて来たブックマーク送信要求情報に含まれている証明書データを参照してブックマークデータ４０５を返信するので（図８ステップＳ１３参照）、実際に刊行物を所持しているユーザ以外の第三者にブックマークデータ４０５を介して著作物データ２０３が取得されてしまうことを防止できる。
【０２０４】
更に、同一の刊行物を購入した者を特定し、その購入者からブックマークデータ４０５の取得要求があったときに当該ブックマークデータ４０５をその要求者に返信するので（図１１参照）、同じ刊行物を所持している者同士でブックマークデータ４０５並びにそれにより示される著作物データ２０３を共有することができる。
【０２０５】
更にまた、同一の友達リストに登録されている者を特定し、その者からブックマークデータ４０５の取得要求があったときに当該ブックマークデータ４０５をその要求者に返信するので（図１６参照）、同一の友達リストに登録されている者同士でブックマークデータ４０５並びにそれにより示される著作物データ２０３を共有することができる。
【０２０６】
また、不特定の第三者からブックマークデータ４０５の閲覧が要求されたときには、当該刊行物に対応する一般公開データのみを当該第三者が操作する端末装置Ｔ（Ｔ４）に返信するので、当該刊行物未所持の第三者に対しては一般公開データのみを取得可能とすることで（図１９及び図２０参照）、当該刊行物の著作権を考慮しつつ、著作物データ２０３に相当する内容が含まれる刊行物を広く一般に広めることができる。
【０２０７】
更に、著作物データ２０３に相当する内容を含む刊行物の購入を、同一の友達リストの登録者に促すこととなる（図１６ステップＳ３２参照）ので、当該登録者等がその刊行物を購入することを促進することができる。
【０２０８】
更にまた、著作物データ２０３に相当する内容を含む刊行物を購入するための購入画面を表示させるための購入画面情報を友達リストの他の登録者に返信する（図１６ステップＳ４５、Ｓ４６等）場合には、当該第三者がその刊行物を購入することを促進することができる。
【０２０９】
また、当該第三者に刊行物が購入されたことに伴う購入報酬が、対応するユーザ毎に蓄積される（図１９ステップＳ５３参照）ので、当該刊行物を不特定の第三者が購入することに伴った購入報酬を、結果的に当該刊行物を紹介したこととなるユーザが確実に取得することができる。
【０２１０】
更にまた、著作物データ２０３のジャンル毎にブックマークデータ４０５が蓄積されていると共にその蓄積数がジャンル毎に記憶されており、更にブックマークデータ４０５を返信する際に併せてその数を示すジャンル別ブックマーク数データ１１３をも返信するので（図７参照）、当該ブックマークデータ４０５の返信を受けた端末装置Ｔ（Ｔ２）において当該ブックマークデータ４０５により示される著作物データ２０３を表示する際に、当該ジャンル別ブックマーク数データ１１３を用いた表示態様の工夫（例えば、ジャンル内容の表示の際に、蓄積数に応じてその表示態様をジャンル毎に変化させる等の工夫）を行うことができる。
【０２１１】
また、ブックマークデータ４０５に係る一般公開データ自体の購入が所望される場合において、当該購入のための情報を対応する端末装置Ｔ４に返信するので（図１９参照）、当該一般公開データ自体を販売の対象として第三者等に購入させることができる。
【０２１２】
なお、上述した実施形態及び実施例においては、刊行物一冊を単位としてシリアル番号が付与されている場合及びその活用について説明したが、これ以外に、シリアル番号としては、各刊行物における一頁を端にとして付与するように構成することもできる。
【０２１３】
この場合には、よりきめ細かい頁を単位として、上述してきたブックマークデータ４０５の登録／閲覧処理、共有化処理及び対応する刊行物の販売促進処理を効果的に実行することができる。
【０２１４】
また、著作権上許可されているページのみにシリアル番号を付与することもできる。なお、刊行物一冊を単位としてシリアル番号が付与されている場合であっても、著作権上許可されているページのみをブックマーク可能な構成としてもよい。
【０２１５】
更にまた、上述したブックマークデータベースＢＭＤＢ及び刊行物管理データベースＢＤＢにおいては、刊行物管理データベースＢＤＢ内の購入者データ３０５をもって購入者と購入された刊行物のシリアル番号との関連付けを行っていたが、これ以外に、例えばブックマークデータベースＢＭＤＢ内のブックマーク管理データ４００内にそのブックマーク管理データ４００が対応する刊行物の他の購入者を示すユーザＩＤを蓄積して当該関連付けを行ってもよい。
【０２１６】
更に、上述した刊行物管理データベースＢＤＢにおいては、刊行物の版を単位として購入済の刊行物の管理を行っていたが、これ以外に、例えば購入者を単位として当該刊行物の管理を行うように構成することもできる。
【０２１７】
更にまた、図５、７、８、１０、１１、１２及び１４に夫々示すフローチャートに対応する各サーバＳＶ又は各端末装置Ｔ用の制御プログラムを、フレキシブルディスク又はハードディスク或いはＲＯＭ１８又は３９等の情報記録媒体に記録しておき、又はインターネット等を介して取得して記録しておき、これらを汎用のコンピュータで読み出して実行することにより、当該コンピュータを実施形態に係る各ＣＰＵ１７又は３８として活用することも可能である。
【産業上の利用可能性】
【０２１８】
以上夫々説明したように、本発明は著作物に相当する著作物データ２０３の流通及び管理を行うネットワークシステムの分野に利用することが可能であり、特に多数の刊行物の内容に相当する著作物データ２０３の流通及び管理を行ってユーザにおける当該刊行物の整理の便宜に供するネットワークシステムの分野に適用すれば特に顕著な効果が得られる。
【図面の簡単な説明】
【０２１９】
【図１】実施形態に係るネットワークシステムの概要構成を示すブロック図である。
【図２】実施形態に係る各データベースの内容を夫々例示する図であり、（ａ）は着物データベースの内容を例示する図であり、（ｂ）は刊行物管理データベースの内容を例示する図であり、（ｃ）は会員情報データベースの内容を例示する図であり、（ｄ）はブックマークデータベースの内容を例示する図である。
【図３】実施形態に係る各サーバの細部構成を示すブロック図である。
【図４】実施形態に係る端末装置の細部構成を示すブロック図である。
【図５】実施例に係るブックマークデータの登録処理を示すフローチャートである。
【図６】実施例に係るブックマークデータの登録処理において表示される画面例を夫々示す図であり、（ａ）はマイページの構成を例示する図であり、（ｂ）は著作物データの表示画面の構成を例示する図である。
【図７】実施例に係るジャンル表示欄表示処理を示すフローチャートである。
【図８】実施例に係る登録者によるブックマークデータの閲覧処理を示すフローチャートである。
【図９】実施例に係る登録者によるブックマークデータの閲覧処理に係る表示画面の構成を例示する図である。
【図１０】実施例に係る登録者によるブックマークデータの閲覧処理において表示される著作物データの表示画面の構成を例示する図である。
【図１１】実施例に係る同一刊行物購入者によるブックマークデータの閲覧処理を示すフローチャートである。
【図１２】実施例に係る同一刊行物購入者によるブックマークデータの閲覧処理に係る表示画面の構成を例示する図（Ｉ）である。
【図１３】実施例に係る同一刊行物購入者によるブックマークデータの閲覧処理に係る表示画面の構成を例示する図（ＩＩ）である。
【図１４】実施例に係る同一刊行物購入者によるブックマークデータの閲覧処理において表示される著作物データの表示画面の構成を例示する図である。
【図１５】実施例に係る同一刊行物購入者によるブックマークデータの閲覧処理の変形形態を示すフローチャート）である。
【図１６】実施例に係る友達リスト登録者によるブックマークデータの閲覧処理を示すフローチャートである。
【図１７】実施例に係る友達リスト登録者によるブックマークデータの閲覧処理において表示される画面例を示す図（Ｉ）である。
【図１８】実施例に係る友達リスト登録者によるブックマークデータの閲覧処理において表示される画面例を示す図（ＩＩ）である。
【図１９】実施例に係る不特定第三者によるブックマークデータの閲覧処理等を示すフローチャートである。
【図２０】実施例に係る不特定第三者によるブックマークデータの閲覧処理において表示される公開画面の構成を例示する図である。
【図２１】実施例に係る不特定第三者によるブックマークデータ自体の購入処理を示すフローチャートである。
【図２２】実施例に係る不特定第三者によるブックマークデータ自体の購入処理において表示される公開画面の構成を例示する図である。
【符号の説明】
【０２２０】
１１、３１    操作部
１２、３２    表示部
１３、３３    通信部
１４、３４    ドライブ部
１５、３５    記憶部
１６、３７    入出力インタフェース部
１７、３８    ＣＰＵ
１８、３９    ＲＯＭ
１９、４０    ＲＡＭ
２０、４１    システム制御部
２１、４２    システムバス
６０    シリアル番号入力欄
６１    送信ボタン
６２    写真表示欄
６３    プロフィール表示欄
６４    ジャンル表示欄
７０    画像表示欄
７１    ブックマークボタン
７２    データジャンル入力欄
８０    一般公開データ表示欄
８１、９１、１０１、１１１    表紙表示欄
８２、９２、１１２    内容表示欄
８３、１０２    購入ボタン
９３    ブックマーク内容表示ボタン
１００    会員データ
１０１    ユーザＩＤデータ
１０２    パスワードデータ
１０３    氏名データ
１０４    郵便番号データ
１０５    住所データ
１０６    メールアドレスデータ
１０７    生年月日データ
１０８    性別データ
１０９    クレジットカード番号データ
１１０    有効期限データ
１１１    ニックネームデータ
１１２    友達リストデータ
１１３    ジャンル別ブックマーク数データ
２００    刊行物データ
２０１    ＩＳＢＮデータ
２０２    表示データ
２０３    著作物データ
２０４    価格データ
２０５    出版社名データ
３００    刊行物管理データ
３０１    ＩＳＢＮデータ
３０２    題号データ
３０３    価格データ
３０４    出版社名データ
３０５    購入者データ
３０６    シリアル番号データ
３０７    購入ユーザＩＤデータ
４００    ブックマーク管理データ
４０１    ＩＳＢＮデータ
４０２    表紙データＵＲＬデータ
４０３    シリアル番号データ
４０４    ユーザＩＤデータ
４０５    ブックマークデータ
Ｓ    ネットワークシステム
ＣＤＢ    著作物データベース
ＣＳＶ    著作物サーバ
ＢＤＢ    刊行物管理データベース
ＢＭＤＢ    ブックマークデータベース
ＲＳＶ    刊行物管理サーバ
ＭＤＢ    会員情報データベース
ＭＳＶ    会員情報サーバ
Ｔ１、Ｔ２、Ｔ３、Ｔ４、Ｔｎ    端末装置
ＮＴ    ネットワーク
ＳＶ    サーバ
ＳＩＮ    マイページ
ＢＭＳ、ＢＧ、ＤＴ    表示画面
Ｗ、ＷＷ    公開画面
Ｌ    一覧画面
Ｆ    一覧表示画面
ＦＢ    ブックマーク画面
ＯＰ    内容表示画面
【図１】
2008158663.tif 000003
【図２】
2008158663.tif 000004
【図３】
2008158663.tif 000005
【図４】
2008158663.tif 000006
【図５】
2008158663.tif 000007
【図６】
2008158663.tif 000008
【図７】
2008158663.tif 000009
【図８】
2008158663.tif 000010
【図９】
2008158663.tif 000011
【図１０】
2008158663.tif 000012
【図１１】
2008158663.tif 000013
【図１２】
2008158663.tif 000014
【図１３】
2008158663.tif 000015
【図１４】
2008158663.tif 000016
【図１５】
2008158663.tif 000017
【図１６】
2008158663.tif 000018
【図１７】
2008158663.tif 000019
【図１８】
2008158663.tif 000020
【図１９】
2008158663.tif 000021
【図２０】
2008158663.tif 000022
【図２１】
2008158663.tif 000023
【図２２】
2008158663.tif 000024